(57)【要約】【課題】操作ノブを用いた吹出方向の調整を行う際に、操作ノブに対して回動可能なアーム部材に起因する異音を低減可能なレジスタを提供する。【解決手段】レジスタ１は、リテーナ２と、ベゼル５と、複数の水平フィン１０と、複数の垂直フィン２０と、操作ノブ３０を有している。操作ノブ３０は、中央水平フィン１０Ａに対してスライド可能なノブ本体４０と、ノブ本体４０に対して垂直方向に回動可能なアーム部材５０を有している。中央垂直フィン２０Ａの切欠部２５は、連結シャフト２６と、上側張出部２７と、下側張出部２８とを有しており、アーム部材５０は、湾曲アーム５２と、上側接触片５３及び下側接触片５６を有している。上側接触片５３は、湾曲アーム５２の先端から、前記上側張出部２７側に突出するように湾曲して伸びている。又、下側接触片５６は、湾曲アーム５２の先端から、前記下側張出部２８側に突出するように湾曲して伸びている。【選択図】図４
2017214052.tif 000002
【特許請求の範囲】
【請求項１】
通風路を有するリテーナと、
前記リテーナの前面に配設され、前記通風路からの空気が外部に吹き出される空気吹出口が形成されたベゼルと、
前記リテーナの通風路において水平方向に延びると共に、垂直方向に回動可能に設けられた複数の水平フィンと、
前記複数の水平フィンよりも後方側において垂直方向に延びると共に、前記リテーナの通風路に対して、前記水平方向に回動可能に設けられた複数の垂直フィンと、
前記複数の水平フィン及び前記複数の垂直フィンを回動させる為の回動操作に用いられる操作部材と、を有するレジスタであって、
前記操作部材は、
前記複数の水平フィンの内、一の水平フィンに対してスライド可能に取り付けられると共に、前記水平フィンを垂直方向に回動させる為の操作ノブと、
前記操作ノブの後部に対して垂直方向に回動可能に取り付けられ、前記複数の垂直フィンに含まれる一の垂直フィンと連結される二股状のアーム部材と、を有し、
前記一の垂直フィンは、
当該一の垂直フィンの前方部分が開口された切欠部と、
前記切欠部の周縁部における上部及び下部を接続するように垂直に延び、前記二股状のアーム部材の間に配置される連結軸と、
前記切欠部の周縁部における上部において、前記水平方向に張り出すように形成された上側張出部と、
前記切欠部を介して、前記上側張出部と対向すると共に、前記水平方向に張り出すように形成された下側張出部と、を有し、
前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、
前記アーム部材は、
当該アーム部材の先端から伸び、前記上側張出部側に突出するように湾曲した上側接触片と、
当該アーム部材の先端における前記上側接触片よりも下方から伸び、前記下側張出部側に突出するように湾曲した下側接触片と、をそれぞれ有する
ことを特徴とするレジスタ。
【請求項２】
前記上側接触片は、
前記上側張出部側の端面に、前記上側張出部に近づく程に狭まるように形成された上側接触部を有し、
前記下側接触片は、
前記下側張出部側の端面に、前記下側張出部に近づく程に狭まるように形成された下側接触部を有している
ことを特徴とする請求項１に記載のレジスタ。
【請求項３】
前記上側接触片の先端部には、
前記上側張出部側の端面であって、前記上側接触片の基端側に向かう程、前記上側張出部側に近づくように傾斜した上側テーパ部が形成され、
前記下側接触片の先端部には、
前記下側張出部側の端面であって、前記下側接触片の基端側に向かう程、前記下側張出部側に近づくように傾斜した下側テーパ部が形成されている
ことを特徴とする請求項１又は請求項２に記載のレジスタ。
【請求項４】
通風路を有するリテーナと、
前記リテーナの前面に配設され、前記通風路からの空気が外部に吹き出される空気吹出口が形成されたベゼルと、
前記リテーナの通風路において水平方向に延びると共に、垂直方向に回動可能に設けられた複数の水平フィンと、
前記複数の水平フィンよりも後方側において垂直方向に延びると共に、前記リテーナの通風路に対して、前記水平方向に回動可能に設けられた複数の垂直フィンと、
前記複数の水平フィン及び前記複数の垂直フィンを回動させる為の回動操作に用いられる操作部材と、を有するレジスタであって、
前記操作部材は、
前記複数の水平フィンの内、一の水平フィンに対してスライド可能に取り付けられると共に、前記水平フィンを垂直方向に回動させる為の操作ノブと、
前記操作ノブの後部に対して垂直方向に回動可能に取り付けられ、前記複数の垂直フィンに含まれる一の垂直フィンと連結される二股状のアーム部材と、を有し、
前記一の垂直フィンは、
当該一の垂直フィンの前方部分が開口された切欠部と、
前記切欠部の周縁部における上部及び下部を接続するように垂直に延び、前記二股状のアーム部材の間に配置される連結軸と、
前記切欠部の周縁部における上部において、前記水平方向に張り出すように形成された上側張出部と、
前記切欠部を介して、前記上側張出部と対向すると共に、前記水平方向に張り出すように形成された下側張出部と、を有し、
前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、
前記アーム部材は、
前記操作ノブの後部に回動可能に取り付けられるアーム回動軸と、
前記アーム回動軸から二股状に延設された一対の湾曲アームと、
前記各湾曲アームの後端部における下側面からリング状に形成されたリング状部材と、
前記リング状部材の自由端部と前記湾曲アーム上側面との間に形成されたスリット部とを備えたことを特徴とするレジスタ。
【請求項５】
前記リング状部材の厚さは、周縁部に近接するに従ってテーパ状に薄く形成されていることを特徴とする請求項４に記載のレジスタ。
【請求項６】
前記リング状部材の周端面は、断面視で三角形状に形成されていることを特徴とする請求項５に記載のレジスタ。
【請求項７】
通風路を有するリテーナと、
前記リテーナの前面に配設され、前記通風路からの空気が外部に吹き出される空気吹出口が形成されたベゼルと、
前記リテーナの通風路において水平方向に延びると共に、垂直方向に回動可能に設けられた複数の水平フィンと、
前記複数の水平フィンよりも後方側において垂直方向に延びると共に、前記リテーナの通風路に対して、前記水平方向に回動可能に設けられた複数の垂直フィンと、
前記複数の水平フィン及び前記複数の垂直フィンを回動させる為の回動操作に用いられる操作部材と、を有するレジスタであって、
前記操作部材は、
前記複数の水平フィンの内、一の水平フィンに対してスライド可能に取り付けられると共に、前記水平フィンを垂直方向に回動させる為の操作ノブと、
前記操作ノブの後部に対して垂直方向に回動可能に取り付けられ、前記複数の垂直フィンに含まれる一の垂直フィンと連結される二股状のアーム部材と、を有し、
前記一の垂直フィンは、
当該一の垂直フィンの前方部分が開口された切欠部と、
前記切欠部の周縁部における上部及び下部を接続するように垂直に延び、前記二股状のアーム部材の間に配置される連結軸と、
前記切欠部の周縁部における上部において、前記水平方向に張り出すように形成された上側張出部と、
前記切欠部を介して、前記上側張出部と対向すると共に、前記水平方向に張り出すように形成された下側張出部と、を有し、
前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、
前記アーム部材は、
前記操作ノブの後部に回動可能に取り付けられるアーム回動軸と、
前記アーム回動軸から二股状に延設された一対の湾曲アームと、
前記各湾曲アームの後端部に一体に設けられ、湾曲アームの後端部の上側及び下側にて円弧状に延設されたリング状部材と、
前記リング状部材の上側自由端部と前記湾曲アームの後端部における上側面との間に形成された第１スリット部と、
前記リング状部材の下側自由端部と前記湾曲アームの後端部における下側面との間に形成された第２スリット部とを備えたことを特徴とするレジスタ。
【請求項８】
前記リング状部材の厚さは、周縁部に近接するに従ってテーパ状に薄く形成されていることを特徴とする請求項７に記載のレジスタ。
【請求項９】
前記リング状部材の周端面は、断面視で三角形状に形成されていることを特徴とする請求項８に記載のレジスタ。
【請求項１０】
通風路を有するリテーナと、
前記リテーナの前面に配設され、前記通風路からの空気が外部に吹き出される空気吹出口が形成されたベゼルと、
前記リテーナの通風路において水平方向に延びると共に、垂直方向に回動可能に設けられた複数の水平フィンと、
前記複数の水平フィンよりも後方側において垂直方向に延びると共に、前記リテーナの通風路に対して、前記水平方向に回動可能に設けられた複数の垂直フィンと、
前記複数の水平フィン及び前記複数の垂直フィンを回動させる為の回動操作に用いられる操作部材と、を有するレジスタであって、
前記操作部材は、
前記複数の水平フィンの内、一の水平フィンに対してスライド可能に取り付けられると共に、前記水平フィンを垂直方向に回動させる為の操作ノブと、
前記操作ノブの後部に対して垂直方向に回動可能に取り付けられ、前記複数の垂直フィンに含まれる一の垂直フィンと連結される二股状のアーム部材と、を有し、
前記一の垂直フィンは、
当該一の垂直フィンの前方部分が開口された切欠部と、
前記切欠部の周縁部における上部及び下部を接続するように垂直に延び、前記二股状のアーム部材の間に配置される連結軸と、
前記切欠部の周縁部における上部において、前記水平方向に張り出すように形成された上側張出部と、
前記切欠部を介して、前記上側張出部と対向すると共に、前記水平方向に張り出すように形成された下側張出部と、を有し、
前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、
前記アーム部材は、
前記操作ノブの後部に回動可能に取り付けられるアーム回動軸と、
前記アーム回動軸から二股状に延設された一対の湾曲アームと、
前記各湾曲アームの後端部に一体に設けられた薄板状の弾性片と、
前記弾性片の両側に連結され、円弧状に延設されたリング状部材と、
前記リング状部材の上側自由端部と前記湾曲アームの後端部における上側面との間に形成された第１スリット部と、
前記リング状部材の下側自由端部と前記湾曲アームの後端部における下側面との間に形成された第２スリット部とを備えたことを特徴とするレジスタ。
【請求項１１】
前記リング状部材の厚さは、周縁部に近接するに従ってテーパ状に薄く形成されていることを特徴とする請求項１０に記載のレジスタ。
【請求項１２】
前記リング状部材の周端面は、断面視で三角形状に形成されていることを特徴とする請求項１１に記載のレジスタ。
【発明の詳細な説明】
【技術分野】
【０００１】
本発明は、自動車の車室内の換気や空調の空気吹出部に使用されるレジスタに関するものである。
【背景技術】
【０００２】
従来、レジスタは、例えば、自動車のインストルメントパネル等に配設され、例えば空調装置で調節された調和空気を車室内に吹き出す空気吹出部に使用されている。これらのレジスタは、略矩形筒状の枠体内部に左右方向へ平行に延び、上下方向へ回動可能に配設された複数の水平フィンと、水平フィンの後方において、上下方向へ平行に延び、左右方向へ回動可能に配設された垂直フィンと、複数の水平フィンの１つに左右方向にスライド移動可能に装着された操作ノブと、を有している。
【０００３】
そして、これらのレジスタにおいては、使用者が操作ノブを用いて一の水平フィンを上下方向に回動させることによって、複数の水平フィンにおける上下方向の回動量を調整可能に構成されている。又、使用者が一の水平フィンに沿って左右方向にスライド移動させることによって、後方に位置する複数の垂直フィンにおける左右方向の回動量を調整可能に構成されている。これらのレジスタによれば、複数の水平フィン及び複数の垂直フィンの回動量を調整することによって、空気の吹出方向を上下左右に調整することができる。
【０００４】
このようなレジスタにおける操作ノブとして、二股状に形成されたアーム部材が操作ノブの後方部分に上下方向に回動可能に支持されているものが存在している。この場合、アーム部材は、一の垂直フィンに形成された切欠部の周縁部における上側部分と下側部分とを接続する連結シャフトを挟むように配設されており、操作ノブのスライド移動に伴う力を、連結シャフトを介して、垂直フィンに伝達している。
【０００５】
この構成の場合、使用者が操作ノブを用いて水平フィンを上下方向に回動させると、アーム部材は、操作ノブに対して上下方向に回動し、垂直フィンの切欠部内を移動する。この時、アーム部材の先端が切欠部周縁部における上側及び下側に形成された張出部に対して接触してしまい、異音が発生してしまう場合があった。
【０００６】
この問題点を解消すべくなされた発明として、特許文献１記載の発明が知られている。特許文献１記載のレジスタは、複数の前ブレードと、複数の後ブレードを有しており、一の前ブレードにスライド移動可能に配設された操作ノブを用いて、空気の吹出方向を上下左右に調整可能に構成されている。そして、特許文献１記載のレジスタにおいて、一の後ブレードには、前方に開口する切欠部が形成されており、当該切欠部の周縁部には、互いに上下方向に対向する一対の張出部が形成されている。又、連結シャフトが、当該切欠部の周縁部における上側部分と下側部分とを接続している。
【０００７】
そして、特許文献１において、操作ノブの後部には、アーム部材が上下方向に回動可能に配設されている。当該アーム部材は、連結シャフトを左右両側から挟む二股状の湾曲アームと、各湾曲アームの後端を上下方向に拡張した拡張部を有している。当該レジスタは、一の垂直フィンにおける上側張出部及び下側張出部と、アーム部材の後端部（即ち、拡張部）との間の距離を小さくすることで、上側張出部又は下側張出部に対し、アーム部材が接触することで生じる異音の音量を抑制している。
【先行技術文献】
【特許文献】
【０００８】
【特許文献１】特開２０１６−０５２８１５号公報
【発明の概要】
【発明が解決しようとする課題】
【０００９】
上述したように、特許文献１記載の技術によっても、上側張出部又は下側張出部に対してアーム部材が接触することで生じる異音の音量を小さくすることができる。しかしながら、現在においても、操作部材の操作に伴ってアーム部材が垂直方向に回動した場合に、上側張出部又は下側張出部に対してアーム部材が接触することで生じる異音の音量を更に小さくすることは、まだ尚強く要望されている。
【００１０】
そこで、本発明は、上述した問題点を解決するためになされたものであり、操作ノブを操作することにより調和空気等の吹出方向を調整可能なレジスタに関し、操作ノブを用いた吹出方向の調整に際し、アーム部材に起因する異音を低減可能なレジスタを提供する。
【課題を解決するための手段】
【００１１】
前記目的を達成するため、請求項１に係るレジスタは、通風路を有するリテーナと、前記リテーナの前面に配設され、前記通風路からの空気が外部に吹き出される空気吹出口が形成されたベゼルと、前記リテーナの通風路において水平方向に延びると共に、垂直方向に回動可能に設けられた複数の水平フィンと、前記複数の水平フィンよりも後方側において垂直方向に延びると共に、前記リテーナの通風路に対して、前記水平方向に回動可能に設けられた複数の垂直フィンと、前記複数の水平フィン及び前記複数の垂直フィンを回動させる為の回動操作に用いられる操作部材と、を有するレジスタであって、前記操作部材は、前記複数の水平フィンの内、一の水平フィンに対してスライド可能に取り付けられると共に、前記水平フィンを垂直方向に回動させる為の操作ノブと、前記操作ノブの後部に対して垂直方向に回動可能に取り付けられ、前記複数の垂直フィンに含まれる一の垂直フィンと連結される二股状のアーム部材と、を有し、前記一の垂直フィンは、当該一の垂直フィンの前方部分が開口された切欠部と、前記切欠部の周縁部における上部及び下部を接続するように垂直に延び、前記二股状のアーム部材の間に配置される連結軸と、前記切欠部の周縁部における上部において、前記水平方向に張り出すように形成された上側張出部と、前記切欠部を介して、前記上側張出部と対向すると共に、前記水平方向に張り出すように形成された下側張出部と、を有し、前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、前記アーム部材は、当該アーム部材の先端から伸び、前記上側張出部側に突出するように湾曲した上側接触片と、当該アーム部材の先端における前記上側接触片よりも下方から伸び、前記下側張出部側に突出するように湾曲した下側接触片と、をそれぞれ有することを特徴とする。
【００１２】
又、請求項２に係るレジスタは、請求項１に記載のレジスタであって、前記上側接触片は、前記上側張出部側の端面に、前記上側張出部に近づく程に狭まるように形成された上側接触部を有し、前記下側接触片は、前記下側張出部側の端面に、前記下側張出部に近づく程に狭まるように形成された下側接触部を有していることを特徴とする。
【００１３】
そして、請求項３に係るレジスタは、請求項１又は請求項２に記載のレジスタであって、前記上側接触片の先端部には、前記上側張出部側の端面であって、前記上側接触片の基端側に向かう程、前記上側張出部側に近づくように傾斜した上側テーパ部が形成され、前記下側接触片の先端部には、前記下側張出部側の端面であって、前記下側接触片の基端側に向かう程、前記下側張出部側に近づくように傾斜した下側テーパ部が形成されていることを特徴とする。
【００１４】
請求項４に係るレジスタは、通風路を有するリテーナと、前記リテーナの前面に配設され、前記通風路からの空気が外部に吹き出される空気吹出口が形成されたベゼルと、前記リテーナの通風路において水平方向に延びると共に、垂直方向に回動可能に設けられた複数の水平フィンと、前記複数の水平フィンよりも後方側において垂直方向に延びると共に、前記リテーナの通風路に対して、前記水平方向に回動可能に設けられた複数の垂直フィンと、前記複数の水平フィン及び前記複数の垂直フィンを回動させる為の回動操作に用いられる操作部材と、を有するレジスタであって、前記操作部材は、前記複数の水平フィンの内、一の水平フィンに対してスライド可能に取り付けられると共に、前記水平フィンを垂直方向に回動させる為の操作ノブと、前記操作ノブの後部に対して垂直方向に回動可能に取り付けられ、前記複数の垂直フィンに含まれる一の垂直フィンと連結される二股状のアーム部材と、を有し、前記一の垂直フィンは、当該一の垂直フィンの前方部分が開口された切欠部と、前記切欠部の周縁部における上部及び下部を接続するように垂直に延び、前記二股状のアーム部材の間に配置される連結軸と、前記切欠部の周縁部における上部において、前記水平方向に張り出すように形成された上側張出部と、前記切欠部を介して、前記上側張出部と対向すると共に、前記水平方向に張り出すように形成された下側張出部と、を有し、前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、前記アーム部材は、前記操作ノブの後部に回動可能に取り付けられるアーム回動軸と、前記アーム回動軸から二股状に延設された一対の湾曲アームと、前記各湾曲アームの後端部における下側面からリング状に形成されたリング状部材と、前記リング状部材の自由端部と前記湾曲アーム上側面との間に形成されたスリット部とを備えたことを特徴とする。
【００１５】
請求項５に係るレジスタは、請求項４に記載のレジスタにおいて、前記リング状部材の厚さは、周縁部に近接するに従ってテーパ状に薄く形成されていることを特徴とする。
【００１６】
請求項６に係るレジスタは、請求項５に記載のレジスタにおいて、前記リング状部材の周端面は、断面視で三角形状に形成されていることを特徴とする。
【００１７】
請求項７に係るレジスタは、通風路を有するリテーナと、前記リテーナの前面に配設され、前記通風路からの空気が外部に吹き出される空気吹出口が形成されたベゼルと、前記リテーナの通風路において水平方向に延びると共に、垂直方向に回動可能に設けられた複数の水平フィンと、前記複数の水平フィンよりも後方側において垂直方向に延びると共に、前記リテーナの通風路に対して、前記水平方向に回動可能に設けられた複数の垂直フィンと、前記複数の水平フィン及び前記複数の垂直フィンを回動させる為の回動操作に用いられる操作部材と、を有するレジスタであって、前記操作部材は、前記複数の水平フィンの内、一の水平フィンに対してスライド可能に取り付けられると共に、前記水平フィンを垂直方向に回動させる為の操作ノブと、前記操作ノブの後部に対して垂直方向に回動可能に取り付けられ、前記複数の垂直フィンに含まれる一の垂直フィンと連結される二股状のアーム部材と、を有し、前記一の垂直フィンは、当該一の垂直フィンの前方部分が開口された切欠部と、前記切欠部の周縁部における上部及び下部を接続するように垂直に延び、前記二股状のアーム部材の間に配置される連結軸と、前記切欠部の周縁部における上部において、前記水平方向に張り出すように形成された上側張出部と、前記切欠部を介して、前記上側張出部と対向すると共に、前記水平方向に張り出すように形成された下側張出部と、を有し、前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、前記アーム部材は、前記操作ノブの後部に回動可能に取り付けられるアーム回動軸と、前記アーム回動軸から二股状に延設された一対の湾曲アームと、前記各湾曲アームの後端部に一体に設けられ、湾曲アームの後端部の上側及び下側にて円弧状に延設されたリング状部材と、前記リング状部材の上側自由端部と前記湾曲アームの後端部における上側面との間に形成された第１スリット部と、前記リング状部材の下側自由端部と前記湾曲アームの後端部における下側面との間に形成された第２スリット部とを備えたことを特徴とする。
【００１８】
請求項８に係るレジスタは、請求項７に記載のレジスタにおいて、前記リング状部材の厚さは、周縁部に近接するに従ってテーパ状に薄く形成されていることを特徴とする。
【００１９】
請求項９に係るレジスタは、請求項８に記載のレジスタにおいて、前記リング状部材の周端面は、断面視で三角形状に形成されていることを特徴とする。
【００２０】
請求項１０に係るレジスタは、通風路を有するリテーナと、前記リテーナの前面に配設され、前記通風路からの空気が外部に吹き出される空気吹出口が形成されたベゼルと、前記リテーナの通風路において水平方向に延びると共に、垂直方向に回動可能に設けられた複数の水平フィンと、前記複数の水平フィンよりも後方側において垂直方向に延びると共に、前記リテーナの通風路に対して、前記水平方向に回動可能に設けられた複数の垂直フィンと、前記複数の水平フィン及び前記複数の垂直フィンを回動させる為の回動操作に用いられる操作部材と、を有するレジスタであって、前記操作部材は、前記複数の水平フィンの内、一の水平フィンに対してスライド可能に取り付けられると共に、前記水平フィンを垂直方向に回動させる為の操作ノブと、前記操作ノブの後部に対して垂直方向に回動可能に取り付けられ、前記複数の垂直フィンに含まれる一の垂直フィンと連結される二股状のアーム部材と、を有し、前記一の垂直フィンは、当該一の垂直フィンの前方部分が開口された切欠部と、前記切欠部の周縁部における上部及び下部を接続するように垂直に延び、前記二股状のアーム部材の間に配置される連結軸と、前記切欠部の周縁部における上部において、前記水平方向に張り出すように形成された上側張出部と、前記切欠部を介して、前記上側張出部と対向すると共に、前記水平方向に張り出すように形成された下側張出部と、を有し、前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、前記アーム部材は、前記操作ノブの後部に回動可能に取り付けられるアーム回動軸と、前記アーム回動軸から二股状に延設された一対の湾曲アームと、前記各湾曲アームの後端部に一体に設けられた薄板状の弾性片と、前記弾性片の両側に連結され、円弧状に延設されたリング状部材と、前記リング状部材の上側自由端部と前記湾曲アームの後端部における上側面との間に形成された第１スリット部と、前記リング状部材の下側自由端部と前記湾曲アームの後端部における下側面との間に形成された第２スリット部とを備えたことを特徴とする。
【００２１】
請求項１１に係るレジスタは、請求項１０に記載のレジスタにおいて、前記リング状部材の厚さは、周縁部に近接するに従ってテーパ状に薄く形成されていることを特徴とする。
【００２２】
請求項１２に係るレジスタは、請求項１１に記載のレジスタにおいて、前記リング状部材の周端面は、断面視で三角形状に形成されていることを特徴とする。
【発明の効果】
【００２３】
そして、請求項１記載のレジスタは、リテーナと、ベゼルと、複数の水平フィンと、複数の垂直フィンと、操作部材とを有しており、操作部材を用いて、水平フィン、垂直フィンを回動させることによって、吹き出される空気の流れを所望の方向に調整することが可能である。当該レジスタにおいて、操作部材は、一の水平フィンに対してスライド可能に取り付けられた操作ノブと、前記操作ノブの後部に対して垂直方向に回動可能に取り付けられ、一の垂直フィンと連結される二股状のアーム部材と、を有しており、一の垂直フィンは、前方部分が開口された切欠部と、連結軸と、上側張出部と、下側張出部と、を有しており、連結軸を前記二股状のアーム部材の間に配置して連結されている。
そして、アーム部材の後端部には、二股状に形成されたアーム部材の先端から伸びる上側接触片及び下側接触片が形成されている。上側接触片は、当該アーム部材の先端から伸びており、前記上側張出部側に突出するように湾曲している。又、下側接触片は、当該アーム部材の先端における前記上側接触片よりも下方から伸びており、前記下側張出部側に突出するように湾曲している。従って、当該レジスタによれば、一の垂直フィンにおける上側張出部及び下側張出部と、アーム部材の後端部（即ち、上側接触片及び下側接触片）との間の距離を小さくすることができる。これにより、当該レジスタによれば、操作部材の操作に伴って、アーム部材が垂直方向に回動した場合であっても、上側張出部又は下側張出部に対して、アーム部材が接触することで生じる異音の音量を小さくすることができる。又、上側接触片及び下側接触片は、アーム部材の先端から夫々伸びている為、上側接触片と上側張出部とが接触した場合、又は、下側接触片と下側張出部とが接触した場合における衝撃を、上側接触片、下側接触片によって吸収することができ、もって、上側張出部又は下側張出部に対して、アーム部材が接触することで生じる異音を低減し得る。
また、アーム部材は、２つの湾曲状の上側接触片と下側接触片とを有し、プレート状部材の中央部から肉抜きをした構成を有するので、アーム部材の軽量化を図ることができ、また、アーム部材の軽量化に基づき上側接触片又は下側接触片と上側張出部又は下側張出部とが接触する際の衝撃を小さくして接触時の異音を低減することができる。
【００２４】
又、請求項２記載のレジスタにおいて、前記上側接触片は、前記上側張出部側の端面に上側接触部を有しており、前記下側接触片は、前記下側張出部側の端面に下側接触部を有している。上側接触片は、前記上側張出部に近づく程に狭まるように形成されており、下側接触部は、前記下側張出部に近づく程に狭まるように形成されている。即ち、上側接触部によって、上側張出部に対して上側接触片が接触する際の接触面積を小さくすると共に、下側接触部によって、下側張出部に対して下側接触片が接触する際の接触面積を小さくすることができるので、当該レジスタは、上側張出部又は下側張出部に対して、アーム部材が接触することで生じる異音を低減し得る。
【００２５】
そして、請求項３記載のレジスタにおいて、前記上側接触片の先端部には、上側テーパ部が形成され、前記下側接触片の先端部には、下側テーパ部が形成されている。上側テーパ部は、前記上側張出部側の端面であって、前記上側接触片の基端側に向かう程、前記上側張出部側に近づくように傾斜しており、下側テーパ部は、前記下側張出部側の端面であって、前記下側接触片の基端側に向かう程、前記下側張出部側に近づくように傾斜している。これにより、当該レジスタを組み立てる場合に、上側接触片の上側テーパ部と下側接触片の下側テーパ部との間に、他の構成部材、例えば、上側張出部の一部又は下側張出部の一部が入ってしまうことを防止することができ、レジスタの生産効率を向上させることができる。
【００２６】
請求項４に係るレジスタでは、リテーナと、ベゼルと、複数の水平フィンと、複数の垂直フィンと、操作部材とを有しており、操作部材を用いて、水平フィン、垂直フィンを回動させることによって、吹き出される空気の流れを所望の方向に調整することが可能である。当該レジスタにおいて、操作部材は、一の水平フィンに対してスライド可能に取り付けられた操作ノブと、前記操作ノブの後部に対して垂直方向に回動可能に取り付けられ、一の垂直フィンと連結される二股状のアーム部材と、を有しており、一の垂直フィンは、前方部分が開口された切欠部と、連結軸と、上側張出部と、下側張出部と、を有しており、連結軸を前記二股状のアーム部材の間に配置して連結されている。
また、アーム部材は、操作ノブの後部に回動可能に取り付けられるアーム回動軸と、アーム回動軸から二股状に延設された一対の湾曲アームと、各湾曲アームの後端部における下側面からリング状に形成されたリング状部材と、リング状部材の自由端部と湾曲アーム上側面との間に形成されたスリット部とを備えている。
前記のように構成されたレジスタのアーム部材では、アーム回動軸から二股状に延設された一対の各湾曲アームの後端部における下側面からリング状のリング部材が形成されており、プレート状部材の中央部から肉抜きをした構成を有するので、アーム部材の軽量化を図ることができ、また、アーム部材の軽量化に基づきリング状部材の上側部又は下側部と上側張出部又は下側張出部とが接触する際の衝撃を小さくして接触時の異音を低減することができる。
また、リング状部材の自由端部と湾曲アーム上側面との間にはスリット部が形成されているので、リング状部材は容易に弾性変形して撓み易くなり、これよりリング状部材の上側部又は下側部と上側張出部又は下側張出部とが接触する際の衝撃を小さくして接触時の異音を低減することができる。
【００２７】
請求項５に係るレジスタでは、リング状部材の厚さは周縁部に近接するに従ってテーパ状に薄く形成され、また、請求項６に係るレジスタでは、リング状部材の周端面は断面視で三角形状に形成されているので、上側張出部に対してリング状部材の上側部が接触する際の接触面積を小さくすると共に、下側張出部に対してリング状部材の下側部が接触する際の接触面積を小さくすることができる。これにより、リング状部材が上側張出部又は下側張出部に対して接触する際に生じる異音を低減することができる。
【００２８】
請求項７に係るレジスタでは、テーナと、ベゼルと、複数の水平フィンと、複数の垂直フィンと、操作部材とを有しており、操作部材を用いて、水平フィン、垂直フィンを回動させることによって、吹き出される空気の流れを所望の方向に調整することが可能である。当該レジスタにおいて、操作部材は、一の水平フィンに対してスライド可能に取り付けられた操作ノブと、前記操作ノブの後部に対して垂直方向に回動可能に取り付けられ、一の垂直フィンと連結される二股状のアーム部材と、を有しており、一の垂直フィンは、前方部分が開口された切欠部と、連結軸と、上側張出部と、下側張出部と、を有しており、連結軸を前記二股状のアーム部材の間に配置して連結されている。
また、アーム部材は、操作ノブの後部に回動可能に取り付けられるアーム回動軸と、アーム回動軸から二股状に延設された一対の湾曲アームと、各湾曲アームの後端部に一体に設けられ、湾曲アームの後端部の上側及び下側にて円弧状に延設されたリング状部材と、リング状部材の上側自由端部と湾曲アームの後端部における上側面との間に形成された第１スリット部と、リング状部材の下側自由端部と湾曲アームの後端部における下側面との間に形成された第２スリット部とを備えている。
前記のように構成されたレジスタのアーム部材では、アーム回動軸から二股状に延設された一対の各湾曲アームの後端部の上側及び下側にて円弧状に延設されたリング状部材が形成されており、プレート状部材の中央部から肉抜きをした構成を有するので、アーム部材の軽量化を図ることができ、また、アーム部材の軽量化に基づきリング状部材の上側部又は下側部と上側張出部又は下側張出部とが接触する際の衝撃を小さくして接触時の異音を低減することができる。
また、リング状部材の上側自由端部と湾曲アームの後端部における上側面との間に形成された第１スリット部と、リング状部材の下側自由端部と湾曲アームの後端部における下側面との間に形成された第２スリット部とが形成されているので、リング状部材は容易に弾性変形して撓み易くなり、これよりリング状部材の上側部又は下側部と上側張出部又は下側張出部とが接触する際の衝撃を小さくして接触時の異音を低減することができる。
【００２９】
請求項８に係るレジスタでは、リング状部材の厚さは周縁部に近接するに従ってテーパ状に薄く形成され、また、請求項９に係るレジスタでは、リング状部材の周端面は断面視で三角形状に形成されているので、上側張出部に対してリング状部材の上側部が接触する際の接触面積を小さくすると共に、下側張出部に対してリング状部材の下側部が接触する際の接触面積を小さくすることができる。これにより、リング状部材が上側張出部又は下側張出部に対して接触する際に生じる異音を低減することができる。
【００３０】
請求項１０に係るレジスタでは、テーナと、ベゼルと、複数の水平フィンと、複数の垂直フィンと、操作部材とを有しており、操作部材を用いて、水平フィン、垂直フィンを回動させることによって、吹き出される空気の流れを所望の方向に調整することが可能である。当該レジスタにおいて、操作部材は、一の水平フィンに対してスライド可能に取り付けられた操作ノブと、前記操作ノブの後部に対して垂直方向に回動可能に取り付けられ、一の垂直フィンと連結される二股状のアーム部材と、を有しており、一の垂直フィンは、前方部分が開口された切欠部と、連結軸と、上側張出部と、下側張出部と、を有しており、連結軸を前記二股状のアーム部材の間に配置して連結されている。
また、アーム部材は、操作ノブの後部に回動可能に取り付けられるアーム回動軸と、アーム回動軸から二股状に延設された一対の湾曲アームと、各湾曲アームの後端部に一体に設けられた薄板状の弾性片と、弾性片の両側に連結され、円弧状に延設されたリング状部材と、リング状部材の上側自由端部と湾曲アームの後端部における上側面との間に形成された第１スリット部と、リング状部材の下側自由端部と湾曲アームの後端部における下側面との間に形成された第２スリット部とを備えている。
前記のように構成されたレジスタのアーム部材では、アーム回動軸から二股状に延設された一対の各湾曲アームの後端部に設けられた弾性片の両側に円弧上に延設されたリング状部材が連結されており、プレート状部材の中央部から肉抜きをした構成を有するので、アーム部材の軽量化を図ることができ、また、アーム部材の軽量化に基づきリング状部材の上側部又は下側部と上側張出部又は下側張出部とが接触する際の衝撃を小さくして接触時の異音を低減することができる。
また、リング状部材の上側自由端部と湾曲アームの後端部における上側面との間に第１スリット部が形成されるとともに、リング状部材の下側自由端部と湾曲アームの後端部における下側面との間に第２スリット部が形成されているので、リング状部材は容易に弾性変形して撓み易くなり、これよりリング状部材の上側部又は下側部と上側張出部又は下側張出部とが接触する際の衝撃を小さくして接触時の異音を低減することができる。
【００３１】
請求項１１に係るレジスタでは、リング状部材の厚さは周縁部に近接するに従ってテーパ状に薄く形成され、また、請求項１２に係るレジスタでは、リング状部材の周端面は断面視で三角形状に形成されているので、上側張出部に対してリング状部材の上側部が接触する際の接触面積を小さくすると共に、下側張出部に対してリング状部材の下側部が接触する際の接触面積を小さくすることができる。これにより、リング状部材が上側張出部又は下側張出部に対して接触する際に生じる異音を低減することができる。
【図面の簡単な説明】
【００３２】
【図１】第１実施形態に係るレジスタの正面図である。
【図２】第１実施形態に係るレジスタの外観斜視図である。
【図３】第１実施形態に係るレジスタの水平断面図である。
【図４】第１実施形態に係るレジスタの垂直断面図である。
【図５】第１実施形態に係る連結機構部の外観斜視図である。
【図６】第１実施形態に係る連結機構部の上面図である。
【図７】第１実施形態に係る連結機構部の側面図である。
【図８】第１実施形態に係るアーム部材の外観斜視図である。
【図９】第１実施形態に係るアーム部材の側面図である。
【図１０】図９におけるＩＩＩ−ＩＩＩ断面を示す断面図である。
【図１１】通常状態における連結機構部の状態を示す垂直断面図である。
【図１２】下方回動状態における連結機構部の状態を示す垂直断面図である。
【図１３】図１２におけるＩＶ−ＩＶ断面を示す断面図である。
【図１４】上方回動状態における連結機構部の状態を示す垂直断面図である。
【図１５】図１４におけるＶ−Ｖ断面を示す断面図である。
【図１６】第２本実施形態に係るレジスタの垂直断面図である。
【図１７】第２実施形態に係る連結機構部の外観斜視図である。
【図１８】第２実施形態に係る連結機構部の上面図である。
【図１９】第２実施形態に係る連結機構部の側面図である。
【図２０】第２実施形態に係るアーム部材の外観斜視図である。
【図２１】第２実施形態に係るアーム部材の側面図である。
【図２２】図２１におけるＩＩＩ−ＩＩＩ断面を示す断面図である。
【図２３】下方回動状態における連結機構部の状態を示す垂直断面図である。
【図２４】図２３におけるＩＶ−ＩＶ断面を示す断面図である。
【図２５】上方回動状態における連結機構部の状態を示す垂直断面図である。
【図２６】図２５におけるＶ−Ｖ断面を示す断面図である。
【図２７】第３本実施形態に係るレジスタの垂直断面図である。
【図２８】第３実施形態に係る連結機構部の外観斜視図である。
【図２９】第３実施形態に係る連結機構部の上面図である。
【図３０】第３実施形態に係る連結機構部の側面図である。
【図３１】第３実施形態に係るアーム部材の外観斜視図である。
【図３２】第３実施形態に係るアーム部材の側面図である。
【図３３】図３２におけるＩＩＩ−ＩＩＩ断面を示す断面図である。
【図３４】下方回動状態における連結機構部の状態を示す垂直断面図である。
【図３５】上方回動状態における連結機構部の状態を示す垂直断面図である。
【図３６】第４本実施形態に係るレジスタの垂直断面図である。
【図３７】第４実施形態に係る連結機構部の外観斜視図である。
【図３８】第４実施形態に係る連結機構部の上面図である。
【図３９】第４実施形態に係る連結機構部の側面図である。
【図４０】第４実施形態に係るアーム部材の外観斜視図である。
【図４１】第４実施形態に係るアーム部材の側面図である。
【図４２】図４１におけるＩＩＩ−ＩＩＩ断面を示す断面図である。
【図４３】下方回動状態における連結機構部の状態を示す垂直断面図である。
【図４４】上方回動状態における連結機構部の状態を示す垂直断面図である。
【発明を実施するための最良の形態】
【００３３】
以下、本発明に係るレジスタを、自動車等の車室前方に配置されるインストルメントパネルに配設され、空調装置で調節された調和空気を車室内に吹き出すレジスタ１に具体化した第１乃至第４実施形態に基づいて図面を参照しつつ詳細に説明する。
尚、以下の説明においては、当該レジスタ１における送風方向下流側（即ち、車室側）を前方とし、送風方向上流側（即ち、空調装置側）を後方として説明する。又、当該レジスタ１の前方において、レジスタ１と正対した利用者の視点で、上下方向及び左右方向を定義する。
【００３４】
（レジスタの概略構成）
先ず、第１実施形態に係るレジスタについて説明する。
図１〜図４に示すように、レジスタ１は、リテーナ２と、ベゼル５とを有しており、空調装置で調節された調和空気を車室内に吹き出すように構成されている。リテーナ２は、略矩形筒状に形成されており、その内部が通風路３を構成している。リテーナ２の後端部は、通風路３を介して空調装置（図示せず）に接続されている。
【００３５】
そして、ベゼル５は、リテーナ２の前面に配設される略矩形枠状の部材であり、空気吹出口６を有している。空気吹出口６は、空調装置で調節された空気を、通風路３を介して、レジスタ１の外部（乗員側）に向けて吹き出す。そして、ベゼル５の右側部分には、操作ダイヤル７が配設されており、当該操作ダイヤル７は、リテーナ２内部の通風路３を、シャッタ４によって開閉する際に操作される。
【００３６】
リテーナ２の前側開口部分には、複数の水平フィン１０が、左右両側の側壁に対して回動可能に支持されている。複数（第１実施形態においては、３本）の水平フィン１０は、それぞれ左右方向に延びるように形成された板状の水平フィン本体１１を有しており、上下方向に配設された各水平フィン１０の夫々に対して、平行に配設されている。
【００３７】
そして、各水平フィン１０の左右両端部には、回動支持軸１２が同軸上に設けられている（図３等参照）。当該回動支持軸１２は、水平フィン１０の左右両端部から外側方向に突出している。各回動支持軸１２がリテーナ２の左右側壁に対して回動可能に取り付けられている為、各水平フィン１０は、回動支持軸１２の軸心周り（つまり、上下方向）に回動可能に取り付けられている。
【００３８】
各水平フィン１０の左右方向における端部には、リンク支持軸１３が、当該端部の略中央部に形成されている。当該レジスタ１においては、３本の水平フィン１０のリンク支持軸１３がリンク部材（図示せず）で連結されている為、３本の水平フィン１０が全て連動して上下方向に回動する。
【００３９】
図１乃至図４に示すように、上下方向に並ぶ水平フィン１０の中段には、中央水平フィン１０Ａが配置されている。中央水平フィン１０Ａには、操作ノブ３０が、中央水平フィン１０Ａの水平フィン本体１１に沿って、左右方向へスライド可能に取り付けられている。当該レジスタ１においては、操作ノブ３０を上下方向に操作することにより、中央水平フィン１０Ａを上下方向に回動する。そして、中央水平フィン１０Ａの回動が各リンク支持軸１３を介して伝達される為、各水平フィン１０は、全て連動して上下方向に回動する。これにより、当該レジスタ１において、空気吹出口６から吹出される空気の吹出方向が上下方向に調整される。
【００４０】
そして、リテーナ２内部においては、複数（第１実施形態においては、５本）の垂直フィン２０が、複数の水平フィン１０よりも後側で、且つシャッタ４よりも前側部分に配設されている。各垂直フィン２０は、上下方向に延びる板状を為し、互いに平行となるように配設されている。
【００４１】
図４等に示すように、各垂直フィン２０の上下両端部には、上回動支持軸２２、下回動支持軸２３が、それぞれ上下方向に突出し、且つ、同軸上に位置するように形成されている。上回動支持軸２２、下回動支持軸２３は、リテーナ２の上下側壁に回動可能に支持されている為、各垂直フィン２０は、上回動支持軸２２及び下回動支持軸２３を結ぶ軸周りに、左右方向へ回動可能に取り付けられている。
【００４２】
そして、各垂直フィン２０の上端部には、リンク支持軸２４が後方部分に形成されている。図４に示すように、各垂直フィン２０のリンク支持軸２４がリンク部材６０で連結されている為、一の垂直フィンが左右方向に回動すると、全ての垂直フィン２０が連動して左右方向に回動するように構成されている。
【００４３】
ここで、複数の垂直フィン２０は、レジスタ１の左右方向における中央部分に、中央垂直フィン２０Ａを有している。図１〜図４に示すように、中央垂直フィン２０Ａは、中央水平フィン１０Ａにスライド移動可能に取り付けられた操作ノブ３０の背面側に位置している。中央垂直フィン２０Ａは、後述する連結機構部ＣＰによって、操作ノブ３０のスライド移動が伝達されるように連結されている為、操作ノブ３０のスライド移動に伴って、左右方向に回動する。
【００４４】
そして、複数の垂直フィン２０は、夫々、リンク支持軸２４を介して、リンク部材６０に連結されている為、全ての垂直フィン２０が、中央垂直フィン２０Ａの左右方向への回動に連動して左右方向へ回動する。従って、当該レジスタ１によれば、操作ノブ３０をスライド移動させて、全ての垂直フィン２０を左右方向へ回動させることによって、空気吹出口６から吹出される空気の吹出方向を、左右方向に調整することができる。
【００４５】
（連結機構部の概略構成）
続いて、本実施形態に係るレジスタ１における連結機構部ＣＰについて、図面を参照しつつ説明する。連結機構部ＣＰは、複数の水平フィン１０を上下方向に、複数の垂直フィン２０を左右方向にそれぞれ回動させるための機構部であり、図５乃至図７に示すように、中央水平フィン１０Ａに対してスライド移動可能に取り付けられた操作ノブ３０と、中央垂直フィン２０Ａとを連結して構成される。
【００４６】
（中央垂直フィンにおける切欠部の構成）
図５乃至図７に示すように、中央垂直フィン２０Ａは、切欠部２５が形成されている点を除き、他の垂直フィン２０と同様の構成であり、垂直フィン本体２１と、上回動支持軸２２と、下回動支持軸２３と、リンク支持軸２４とを有している。
【００４７】
即ち、中央垂直フィン２０Ａの上下両端部においても、上回動支持軸２２、下回動支持軸２３が、夫々上下方向に突出し、且つ、同軸上に位置するように形成されている。そして、中央垂直フィン２０Ａの下端部における後方部分には、リンク支持軸２４が形成されている。そして、中央垂直フィン２０Ａにおいても、垂直フィン本体２１は、他の垂直フィン２０と同様に、上回動支持軸２２と下回動支持軸２３を通る中心線を基準として、後方側に延びる平板状に形成されている。
【００４８】
そして、中央垂直フィン２０Ａには、切欠部２５が、当該垂直フィン本体２１の前方側において、中央垂直フィン２０Ａの上下方向略中央部分に形成されている。当該切欠部２５は、垂直フィン本体２１の前端縁から後方に向かって切り欠かれ、前方に向かって開口するように形成されており、連結シャフト２６と、上側張出部２７と、下側張出部２８とを有している。
【００４９】
切欠部２５の周縁部における前端部には、連結シャフト２６が形成されており、当該連結シャフト２６は、切欠部２５における周縁部の上部及び下部を接続するように垂直に延びている。連結シャフト２６は、垂直フィン本体２１と一体に形成されており、操作ノブ３０のスライド移動に伴う力が伝達される部分を構成している。
【００５０】
上側張出部２７は、切欠部２５の周縁部における上側部分に、フランジ状に形成されており、垂直フィン本体２１を基準として、左右方向（即ち、水平方向）に張り出すように形成されている。そして、下側張出部２８は、切欠部２５の周縁部における下側部分に、フランジ状に形成されており、切欠部２５を介して、上側張出部２７と対向するように配置される。又、下側張出部２８は、上側張出部２７と同様に、垂直フィン本体２１を基準として、左右方向（即ち、水平方向）に張り出すように形成されている。
【００５１】
（操作ノブの構成）
操作ノブ３０は、上述したように、連結機構部ＣＰを構成すると共に、レジスタ１の使用者が空気の吹出方向を調節する際の操作に用いられるノブ本体４０と、アーム部材５０とを有している。当該アーム部材５０は、中央垂直フィン２０Ａの連結シャフト２６と係合しており、ノブ本体４０のスライド移動に伴う力が伝達される。
【００５２】
（ノブ本体の構成）
図５乃至図７に示すように、ノブ本体４０は、中央水平フィン１０Ａに対してスライド可能に取り付けられると共に、水平フィン１０を垂直方向に回動させる為の操作ノブ３０の主要部を構成する。ノブ本体４０は、挿通孔４１と、軸保持部４２を有している。
【００５３】
挿通孔４１は、当該ノブ本体４０を左右方向に貫通するように形成されている。当該ノブ本体４０は、中央垂直フィン２０Ａを挿通孔４１に挿通するように取り付けられている為、中央垂直フィン２０Ａに対して、左右方向にスライド移動可能に配設される。
【００５４】
そして、軸保持部４２は、ノブ本体４０の後端部において、左右両端部それぞれに設けられており、後述するアーム部材５０のアーム回動軸５１を軸支している（図３、図５等参照）。従って、当該軸保持部４２は、ノブ本体４０に対して、当該アーム部材５０を垂直方向へ回動自在に支持している。
【００５５】
（アーム部材の構成）
そして、アーム部材５０は、ノブ本体４０の後端部において、垂直方向に回動可能に取り付けられており、アーム回動軸５１と、湾曲アーム５２を有している。当該アーム部材５０は、中央垂直フィン２０Ａの連結シャフト２６と係合することで、ノブ本体４０のスライド移動に伴う力を、中央垂直フィン２０Ａに対して伝達する。そして、アーム部材５０は、ノブ本体４０に対して垂直方向に回動可能に取り付ける為のアーム回動軸５１と、当該アーム回動軸５１から後方に向かって延びる二股状の湾曲アーム５２と、を有している。
【００５６】
アーム回動軸５１は、アーム部材５０の前端部の外側部分に、左右方向に突出するように形成されており、左右両側のアーム回動軸５１が同軸上に位置している。図３等にしめすように、当該アーム回動軸５１は、ノブ本体４０後端部に形成された軸保持部４２によって、回動自在に保持されている。これにより、アーム部材５０は、ノブ本体４０に対して、アーム回動軸５１を中心として垂直方向へ回動可能に連結されている。
【００５７】
そして、二股状の湾曲アーム５２は、アーム回動軸５１の左右方向中央部分において、左右方向に間隔を空けて形成されており、アーム部材５０の前端部から後方に向かって延びている。図８、図９に示すように、当該湾曲アームは、アーム回動軸５１から後方に向かって延びる途中で下方に向かって一度湾曲した後、その後方において上方に向かって湾曲している。二股状に形成された湾曲アーム５２の間には、中央垂直フィン２０Ａの連結シャフト２６が配置される（図３乃至図７参照）。換言すれば、一対の湾曲アーム５２は、連結シャフト２６を挟んで左右両側に配設される。
【００５８】
従って、操作ノブ３０がスライド移動すると、ノブ本体４０と共に、アーム部材５０も移動する為、湾曲アーム５２は、中央垂直フィン２０Ａの連結シャフト２６を押圧する。そして、この連結シャフト２６の押圧に伴って、中央垂直フィン２０Ａが左右方向へ回動する為、他の垂直フィン２０も、連動して左右方向に回動する。
【００５９】
尚、第１実施形態においては、中央水平フィン１０Ａの上下方向への回動に伴って、操作ノブ３０も上下方向に回動するが、一対の湾曲アーム５２の間に、上下方向に延びる連結シャフト２６が配置されている為、湾曲アーム５２が、操作ノブ３０の上下方向への回動に伴って、連結シャフト２６に接触することはない。従って、操作ノブ３０の上下方向に対する回動は、複数の垂直フィン２０を左右方向へ回動させることはない。
【００６０】
そして、各湾曲アーム５２の先端（アーム回動軸５１側とは逆側の端部）には、上側接触片５３及び下側接触片５６が形成されている。上側接触片５３は、当該アーム部材５０における各湾曲アーム５２の先端から伸びており、側面視において、前記上側張出部２７側に突出する円弧を描くように湾曲している（図８、図９等参照）。
【００６１】
図７乃至図９に示すように、上側接触片５３の上面（即ち、上側張出部２７側に位置する面）には、上側接触部５４が形成されている。図９等に示すように、上側接触片５３の上面は、前記上側張出部２７に近づく上方側ほど、その左右方向の寸法が狭まるように形成されており、その頂点部分によって、上側接触部５４が構成されている。
【００６２】
そして上側接触片５３の先端部（アーム回動軸５１側とは逆側の端部）には、上側テーパ部５５が形成されている。上側テーパ部５５は、上側接触片５３における上側張出部２７側の端面であって、前記上側接触片５３の基端側に向かう程、前記上側張出部２７側に近づくように傾斜している。
【００６３】
従って、レジスタ１の組立作業を行う際に、上側接触片５３に対して上方から他の構成部材が接触したとしても、上側テーパ部５５によって外方へ跳ねかえすことができる。これにより、当該レジスタ１によれば、レジスタ１の組立作業を行う際に、上側テーパ部５５によって、他の構成部材が上側接触片５３と下側接触片５６の間に入り込むことを防止することができ、もって、レジスタ１の組立作業性を高めることができる。
【００６４】
そして、下側接触片５６は、当該アーム部材５０の各湾曲アーム５２の先端において、上側接触片５３の基端よりも下方から伸びており、側面視において、前記下側張出部２８側に突出する円弧を描くように湾曲している（図８、図９等参照）。
【００６５】
当該下側接触片５６の下面（即ち、下側張出部２８側に位置する面）には、下側接触部５７が形成されている（図７乃至図９参照）。下側接触部５７の下面は、前記下側張出部２８に近づく下方側ほど、その左右方向の寸法が狭まるように形成されており、その頂点部分によって、下側接触部５７が構成されている。
【００６６】
又、下側接触部５７の先端部（アーム回動軸５１側とは逆側の端部）には、下側テーパ部５８が形成されている。下側テーパ部５８は、下側接触片５６における下側張出部２８側の端面であって、前記下側接触部５７の基端側に向かう程、前記下側張出部２８側に近づくように傾斜している。
【００６７】
従って、レジスタ１の組立作業を行う際に、下側接触片５６に対して下方から他の構成部材が接触したとしても、下側テーパ部５８によって外方へ跳ねかえすことができる。これにより、当該レジスタ１によれば、レジスタ１の組立作業を行う際に、下側テーパ部５８によって、他の構成部材が上側接触片５３と下側接触片５６の間に入り込むことを防止することができ、もって、レジスタ１の組立作業性を高めることができる。
【００６８】
（レジスタの動作）
続いて、上述のように構成されたレジスタ１において、シャッタ４を開けた状態で空気の吹出方向を上下左右に調整する方法について説明する。先ず、空気の吹出方向を左右に調整する場合について説明する。この場合、使用者は、中央水平フィン１０Ａに沿って、操作ノブ３０を左右方向にスライド移動させる。これにより、操作ノブ３０の移動力がアーム部材５０の湾曲アーム５２から、連結シャフト２６を介して、中央垂直フィン２０Ａに伝達される。これにより、中央垂直フィン２０Ａが左右方向に回動する為、他の垂直フィン２０は、各リンク支持軸２４及びリンク部材６０を介して、それに連動して左右方向に回動する。これにより、当該レジスタ１によれば、操作ノブ３０を左右方向にスライド移動させることで、空気の吹出方向を、所望の方向へ左右に調整することができる。
【００６９】
続いて、第１実施形態に係るレジスタ１において、空気の吹出方向を上下に調整する場合について、図面を参照しつつ詳細に説明する。
【００７０】
（通常状態における連結機構部の状態）
はじめに、各水平フィン１０の前端と後端が同じ高さとなる通常状態である場合について、図１１を参照しつつ説明する。通常状態にある場合、操作ノブ３０のノブ本体４０は、中央水平フィン１０Ａと共に、ノブ本体４０の前端と後端が同じ高さとなる状態となっている。
【００７１】
ここで、第１実施形態における操作ノブ３０においては、上述したように、アーム部材５０は、ノブ本体４０の後端部において、上下方向に回動可能に軸支されており、湾曲アーム５２の後端部に上側接触片５３及び下側接触片５６を有している。従って、アーム部材５０は、ノブ本体４０の後端部において、アーム回動軸５１を軸に回動可能な状態にあり、上側張出部２７と下側張出部２８の間の切欠部２５内には、上側接触片５３及び下側接触片５６が位置している。
【００７２】
（下方回動状態における連結機構部の状態）
次に、複数の水平フィン１０を水平状態から下方回動状態に変更し、空気の吹出方向を下向きに調整する場合について説明する。
【００７３】
複数の水平フィン１０を下方回動状態に調整する場合、使用者は、操作ノブ３０を用いて、中央水平フィン１０Ａを下方向に回動させ、水平フィン本体１１の前端が下側に、後端が上側になるように調整する。この中央水平フィン１０Ａの回動に連動して、他の水平フィン１０も同様に、水平フィン本体１１の前端が下側に、後端が上側になるように回動する。これにより、当該レジスタ１によれば、操作ノブ３０を下方向に回動させることで、空気の吹出方向を、所望の下方向に調整することができる（図１２参照）。
【００７４】
この時、中央水平フィン１０Ａの回動に伴って、軸保持部４２が形成されているノブ本体４０の後端側が、通常状態の位置から斜め前方上側に移動する為、アーム部材５０は、アーム回動軸５１を軸に回動しながら前方に移動し、上側接触片５３及び下側接触片５６も連動して前方へ移動していく。図１２、図１３に示すように、水平フィン１０を限界まで下方へ回動させると、上側接触片５３における上側接触部５４の一部のみが、中央垂直フィン２０Ａの上側張出部２７下面と当接する。尚、この時、中央垂直フィン２０Ａの下側張出部２８上面と、下側接触片５６の下端面との間には、所定の隙間が形成されている。
【００７５】
上述したように、上側接触片５３は、側面視において、上側張出部２７側に突出する円弧を描くように湾曲している為、上側接触片５３と上側張出部２７との間の距離は、湾曲アーム５２の先端に比べて十分に小さい。従って、当該レジスタ１によれば、複数の水平フィン１０を下方回動状態に調整する場合に、上側接触片５３が上側張出部２７の下面と当接する際の異音の音量を低減することができる。
【００７６】
又、上側接触片５３は、湾曲アーム５２の先端から円弧を描くように突出形成されている為、上側張出部２７に対して上側接触片５３が接触した場合の衝撃を、当該上側接触片５３の弾性変形によって吸収することができる。即ち、当該レジスタ１によれば、この点においても、複数の水平フィン１０を下方回動状態に調整する場合に、上側接触片５３が上側張出部２７の下面と当接する際の異音の音量を低減することができる。
【００７７】
図１３に示すように、中央垂直フィン２０Ａの上側張出部２７下面に対して、上側接触片５３における上側接触部５４の一部のみが当接する。即ち、当該レジスタ１によれば、上側張出部２７に対して上側接触片５３が接触する際の接触面積を小さくすることができるので、上側張出部２７に対して、アーム部材５０が接触することで生じる異音の音量を低減し得る。
【００７８】
（上方回動状態における連結機構部の状態）
続いて、複数の水平フィン１０を水平状態から上方回動状態に変更し、空気の吹出方向を上向きに調整する場合について説明する。
【００７９】
複数の水平フィン１０を上方回動状態に調整する場合、使用者は、操作ノブ３０を用いて、中央水平フィン１０Ａを上方向に回動させ、水平フィン本体１１の前端が上側に、後端が下側になるように調整する。この中央水平フィン１０Ａの回動に連動して、他の水平フィン１０も同様に、水平フィン本体１１の前端が上側に、後端が下側になるように回動する。これにより、当該レジスタ１によれば、操作ノブ３０を上方向に回動させることで、空気の吹出方向を、所望の上方向に調整することができる（図１４参照）。
【００８０】
この時、中央水平フィン１０Ａの回動に伴って、軸保持部４２が形成されているノブ本体４０の後端側が、通常状態の位置から斜め前方下側に移動する為、アーム部材５０は、アーム回動軸５１を軸に回動しながら前方に移動し、上側接触片５３及び下側接触片５６も連動して前方へ移動していく。
【００８１】
ここで、アーム部材５０の各湾曲アーム５２は、上方に向かって突出するように湾曲している為、湾曲アーム５２が下側張出部２８の前端上面に干渉することはない。従って、水平フィン１０を上方に回動させ得る範囲が、下側張出部２８とアーム部材５０の接触によって制限されることはなく、操作ノブ３０による操作性を維持することができる。
【００８２】
図１４、図１５に示すように、水平フィン１０を限界まで上方へ回動させると、下側接触片５６における下側接触部５７の一部のみが、中央垂直フィン２０Ａの下側張出部２８上面と当接する。尚、この時、中央垂直フィン２０Ａの上側張出部２７上面と、上側接触片５３の上端面との間には、所定の隙間が形成されている。
【００８３】
そして、下側接触片５６は、側面視において、下側張出部２８側に突出する円弧を描くように湾曲している為、下側接触片５６と下側張出部２８との間の距離は、湾曲アーム５２の先端に比べて十分に小さい。従って、当該レジスタ１によれば、複数の水平フィン１０を上方回動状態に調整する場合に、下側接触片５６が下側張出部２８の上面と当接する際の異音の音量を低減することができる。
【００８４】
又、下側接触片５６は、湾曲アーム５２の先端から円弧を描くように突出形成されている為、下側張出部２８に対して下側接触片５６が接触した場合の衝撃を、当該下側接触片５６の弾性変形によって吸収することができる。即ち、当該レジスタ１によれば、この点においても、複数の水平フィン１０を上方回動状態に調整する場合に、下側接触片５６が下側張出部２８の上面と当接する際の異音の音量を低減することができる。
【００８５】
図１５に示すように、中央垂直フィン２０Ａの下側張出部２８上面に対して、下側接触片５６における下側接触部５７の一部のみが当接する。即ち、当該レジスタ１によれば、下側張出部２８に対して下側接触片５６が接触する際の接触面積を小さくすることができるので、下側張出部２８に対して、アーム部材５０が接触することで生じる異音の音量を低減し得る。
【００８６】
図１１乃至図１５に示すように、第１実施形態におけるレジスタ１によれば、操作ノブ３０を操作して複数の水平フィン１０を上下方向に回動させる何れの過程においても、上側張出部２７と上側接触片５３の間、又は、下側張出部２８と下側接触片５６の間の何れか一方に隙間が形成される。従って、当該レジスタ１によれば、操作ノブ３０を操作して複数の水平フィン１０を上下方向に回動させる操作に際して、アーム部材５０との間に大きな摩擦抵抗が生じることはなく、空気の吹出方向を上下に調整する際の操作性を良好に維持することができる。
【００８７】
又、上側接触片５３及び下側接触片５６は、アーム部材５０における湾曲アーム５２を基準として、夫々、上側張出部２７及び下側張出部２８に近づくような円弧を描くように形成されている為、アーム部材５０に対する上側張出部２７、下側張出部２８の距離を短くすることができる。従って、操作ノブ３０を操作して複数の水平フィン１０を上下方向に回動させる場合に、上側張出部２７、下側張出部２８に接触するまでにアーム部材５０が移動する距離を短くすることができる為、両者の接触に起因する異音の大きさを低減することができる。
【００８８】
以上説明したように、第１実施形態に係るレジスタ１では、リテーナ２と、ベゼル５と、複数の水平フィン１０と、複数の垂直フィン２０と、操作ノブ３０とを有しており、操作ノブ３０を用いて、水平フィン１０、垂直フィン２０を回動させることによって、吹き出される空気の流れを所望の方向に調整可能に構成されている。
【００８９】
図３乃至図７に示すように、操作ノブ３０は、中央水平フィン１０Ａに対してスライド可能に取り付けられたノブ本体４０と、ノブ本体４０の後部に対して垂直方向に回動可能に取り付けられ、中央垂直フィン２０Ａと連結される二股状のアーム部材５０と、を有している。そして、中央垂直フィン２０Ａは、前方部分が開口された切欠部２５と、連結シャフト２６と、上側張出部２７と、下側張出部２８とを有しており、連結シャフト２６は前記二股状のアーム部材５０の間に配置され、切欠部２５の周縁における前端部を上下方向に連結している。
【００９０】
図８乃至図１０に示すように、アーム部材５０の後端部において、二股状に形成された湾曲アーム５２の先端から伸びる上側接触片５３及び下側接触片５６が形成されている。上側接触片５３は、当該湾曲アーム５２の先端から伸びており、前記上側張出部２７側に突出するように湾曲している。又、下側接触片５６は、当該湾曲アーム５２の先端における前記上側接触片５３よりも下方から伸びており、前記下側張出部２８側に突出するように湾曲している。
【００９１】
従って、当該レジスタ１によれば、中央垂直フィン２０Ａにおける上側張出部２７及び下側張出部２８と、アーム部材５０の後端部（即ち、上側接触片５３及び下側接触片５６）との間の距離を小さくすることができる。これにより、当該レジスタ１によれば、操作ノブ３０の操作に伴って、アーム部材５０が垂直方向に回動した場合であっても、上側張出部２７又は下側張出部２８に対して、アーム部材５０が接触することで生じる異音の音量を小さくすることができる。
【００９２】
又、上側接触片５３及び下側接触部５７片は、アーム部材５０における湾曲アーム５２の先端から夫々伸びている為、上側接触片５３と上側張出部２７とが接触した場合や、下側接触片５６と下側張出部２８とが接触した場合における衝撃を、上側接触片５３、下側接触片５６によって吸収することができ、もって、上側張出部２７又は下側張出部２８に対して、アーム部材５０が接触することで生じる異音を低減し得る。
また、アーム部材５０は、２つの湾曲状の上側接触片５３と下側接触片５６とを有し、プレート状部材の中央部から肉抜きをした構成を有するので、アーム部材５０の軽量化を図ることができ、また、アーム部材５０の軽量化に基づき上側接触片５３又は下側接触片５６と上側張出部２７又は下側張出部２８とが接触する際の衝撃を小さくして接触時の異音を低減することができる。
【００９３】
図１０等に示すように、上側接触片５３の上面は、前記上側張出部２７に近づく上方側ほど、その左右方向の寸法が狭まるように形成されており、その頂点部分によって、上側接触部５４が構成されている。そして、下側接触部５７の下面は、前記下側張出部２８に近づく下方側ほど、その左右方向の寸法が狭まるように形成されており、その頂点部分によって、下側接触部５７が構成されている。
【００９４】
即ち、当該レジスタ１によれば、上側接触部５４によって、上側張出部２７に対して上側接触片５３が接触する際の接触面積を小さくすると共に、下側接触部５７によって、下側張出部２８に対して下側接触片５６が接触する際の接触面積を小さくすることができる。これにより、当該レジスタ１は、上側張出部２７又は下側張出部２８に対して、アーム部材５０が接触することで生じる異音を低減し得る。
【００９５】
そして、前記上側接触片５３の先端部には、上側テーパ部５５が形成され、前記下側接触片５６の先端部には、下側テーパ部５８が形成されている（図９参照）。上側テーパ部５５は、上側接触片５３の上面を構成しており、前記上側接触片５３の基端側に向かう程、前記上側張出部２７側に近づくように傾斜している。下側テーパ部５８は、下側接触片５６の下面を構成しており、前記下側接触片５６の基端側に向かう程、前記下側張出部２８側に近づくように傾斜している。これにより、当該レジスタ１を組み立てる場合に、上側接触片５３の上側テーパ部５５と下側接触片５６の下側テーパ部５８との間に、他の構成部材、例えば、上側張出部２７の一部又は下側張出部２８の一部が入ってしまうことを防止することができ、レジスタ１の生産効率を向上させることができる。
【００９６】
続いて、第２実施形態に係るレジスタについて、図１６乃至図２６を参照しつつ説明する。尚、第２実施形態に係るレジスタは、前記した第１実施形態に係るレジスタ１と基本的に同一の構成を有しており、第１実施形態のレジスタと第２実施形態のレジスタとは、操作ノブに連結されるアーム部材の構成のみが異なっているだけである。
従って、以下の説明においては、アーム部材の構成上の相違点に着目して説明することとし、その他の構成における各構成要素・部材には第１実施形態におけると同一の符号を付するとともに、その詳細な説明を省略するものとする。
【００９７】
以下、第２実施形態に係るレジスタ１に使用されているアーム部材１５０の特徴的構成について説明する。
（アーム部材の構成）
アーム部材１５０は、図１６、図１７、図１９乃至図２１等に示すように、ノブ本体４０の後端部において、垂直方向に回動可能に取り付けられるアーム回動軸１５１、アーム回動軸１５１から二股状に延設された一対の湾曲アーム１５２、及び、各湾曲アーム１５２の後端部における下側面からリング状に一対の形成されたリング状部材１５３を有している。かかる各リング状部材１５３において、その自由端部１５４と各湾曲アーム１５２の上側面１５５との間にはスリット部１５６が形成されている。
ここに、アーム部材１５０における二股状の各湾曲アーム１５２の間に、中央垂直フィン２０Ａの連結シャフト２６が係合し、これによりノブ本体４０のスライド移動に伴う力が中央垂直フィン２０Ａに対して伝達される。
【００９８】
アーム回動軸１５１は、アーム部材１５０の前端部の外側部分に、左右方向に突出するように形成されており、左右両側のアーム回動軸１５１が同軸上に位置している。図３等に示すように、アーム回動軸１５１は、ノブ本体４０後端部に形成された軸保持部４２によって、回動自在に保持されている。これにより、アーム部材１５０は、ノブ本体４０に対して、アーム回動軸１５１を中心として垂直方向へ回動可能に連結されている。
【００９９】
二股状の湾曲アーム１５２は、アーム回動軸１５１の左右方向中央部分において、左右方向に間隔を空けて形成されており、アーム部材１５０の前端部から後方に向かって延びている。図２０、図２１に示すように、湾曲アーム１５２は、アーム回動軸１５１から後方に向かって延びる途中で下方に向かって一度湾曲した後、その後方において上方に向かって湾曲している。二股状に形成された湾曲アーム１５２の間には、中央垂直フィン２０Ａの連結シャフト２６が配置される（図３、図１６乃至図１９参照）。換言すれば、一対の湾曲アーム１５２は、連結シャフト２６を挟んで左右両側に配設される。
【０１００】
従って、操作ノブ３０がスライド移動すると、ノブ本体４０と共に、アーム部材１５０も移動する為、湾曲アーム１５２は、中央垂直フィン２０Ａの連結シャフト２６を押圧する。そして、この連結シャフト２６の押圧に伴って、中央垂直フィン２０Ａが左右方向へ回動し、これにより他の垂直フィン２０も、連動して左右方向に回動する。
【０１０１】
尚、第２実施形態においては、中央水平フィン１０Ａの上下方向への回動に伴って、操作ノブ３０も上下方向に回動するが、一対の湾曲アーム１５２の間に、上下方向に延びる連結シャフト２６が配置されている為、湾曲アーム１５２が、操作ノブ３０の上下方向への回動に伴って、連結シャフト２６に接触することはない。従って、操作ノブ３０の上下方向に対する回動は、複数の垂直フィン２０を左右方向へ回動させることはない。
【０１０２】
各湾曲アーム１５２の後端部における下側面から上方に向かってリング状に形成されたリング状部材１５３を有しており、かかるリング状部材１５３の上面１５７は、図１６、図１７、図１９に示すように、上側張出部２７側に対向しており、また、リング状部材１５３の下面１５８は、下側張出部２８に対向している。
【０１０３】
また、図２０、図２２、図２４、図２６に示すように、リング状部材１５３の厚さは周縁部に近接するに従ってテーパ状に薄く形成され、また、リング状部材１５３の周端面は断面視で三角形状に形成されている。これより、上側張出部２７に対してリング状部材１５３の上面１５７が接触する際の接触面積を小さくすると共に、下側張出部２８に対してリング状部材１５３の下面１５８部が接触する際の接触面積を小さくすることができる。これにより、リング状部材１５３が上側張出部２７又は下側張出部２８に対して接触する際に生じる異音を低減することができる。
【０１０４】
（レジスタの動作）
続いて、上述のように構成された第２実施形態に係るレジスタ１において、シャッタ４を開けた状態で空気の吹出方向を上下左右に調整する方法について説明する。先ず、空気の吹出方向を左右に調整する場合について説明する。この場合、使用者は、中央水平フィン１０Ａに沿って、操作ノブ３０を左右方向にスライド移動させる。これにより、操作ノブ３０の移動力がアーム部材１５０の湾曲アーム１５２から、連結シャフト２６を介して、中央垂直フィン２０Ａに伝達される。これにより、中央垂直フィン２０Ａが左右方向に回動する為、他の垂直フィン２０は、各リンク支持軸２４及びリンク部材６０を介して、それに連動して左右方向に回動する。これにより、当該レジスタ１によれば、操作ノブ３０を左右方向にスライド移動させることで、空気の吹出方向を、所望の方向へ左右に調整することができる。
【０１０５】
続いて、第２実施形態に係るレジスタ１において、空気の吹出方向を上下に調整する場合について、図面を参照しつつ詳細に説明する。
【０１０６】
（通常状態における連結機構部の状態）
はじめに、各水平フィン１０の前端と後端が同じ高さとなる通常状態である場合について、図１６を参照しつつ説明する。通常状態にある場合、操作ノブ３０のノブ本体４０は、中央水平フィン１０Ａと共に、ノブ本体４０の前端と後端が同じ高さとなる状態となっている。
【０１０７】
ここで、第２実施形態における操作ノブ３０においては、上述したように、アーム部材１５０は、ノブ本体４０の後端部において、上下方向に回動可能に軸支されており、湾曲アーム１５２の後端部に一体に形成されたリング状部材１５３を有している。従って、アーム部材１５０は、ノブ本体４０の後端部において、アーム回動軸１５１を軸に回動可能な状態にあり、上側張出部２７と下側張出部２８の間の切欠部２５内には、リング状部材１５３の上面１５７及び下面１５８が位置している。
【０１０８】
（下方回動状態における連結機構部の状態）
次に、複数の水平フィン１０を水平状態から下方回動状態に変更し、空気の吹出方向を下向きに調整する場合について説明する。
【０１０９】
複数の水平フィン１０を下方回動状態に調整する場合、使用者は、操作ノブ３０を用いて、中央水平フィン１０Ａを下方向に回動させ、水平フィン本体１１の前端が下側に、後端が上側になるように調整する。この中央水平フィン１０Ａの回動に連動して、他の水平フィン１０も同様に、水平フィン本体１１の前端が下側に、後端が上側になるように回動する。これにより、第２実施形態のレジスタ１によれば、操作ノブ３０を下方向に回動させることで、空気の吹出方向を、所望の下方向に調整することができる（図２３参照）。
【０１１０】
この時、中央水平フィン１０Ａの回動に伴って、軸保持部４２が形成されているノブ本体４０の後端側が、通常状態の位置から斜め前方上側に移動する為、アーム部材１５０は、アーム回動軸１５１を軸に回動しながら前方に移動し、リング状部材１５３の上面１５７及び下面１５８も連動して前方へ移動していく。図２３、図２４に示すように、水平フィン１０を限界まで下方へ回動させると、リング状部材１５３の上面１５７の一部のみが、中央垂直フィン２０Ａの上側張出部２７下面と当接する。尚、この時、中央垂直フィン２０Ａの下側張出部２８上面と、リング状部材１５３の下面１５８との間には、所定の隙間が形成されている。
【０１１１】
上述したように、リング状部材１５３の上面１５７は、側面視において、上側張出部２７側に突出する円弧を描くように湾曲している為、リング状部材の上面と上側張出部２７との間の距離は、湾曲アーム１５２の先端に比べて十分に小さい。従って、前記レジスタ１によれば、複数の水平フィン１０を下方回動状態に調整する場合に、リング状部材１５３の上面１５７が上側張出部２７の下面と当接する際の異音の音量を低減することができる。
【０１１２】
又、前記したように、リング状部材１５３の上面１５７は、湾曲アーム５２の先端から円弧を描くように突出形成されている為、上側張出部２７に対して上面１５７が接触する場合の衝撃を、リング状部材１５３の弾性変形によって吸収することができる。即ち、レジスタ１によれば、この点においても、複数の水平フィン１０を下方回動状態に調整する場合に、リング状部材１５３の上面１５７が上側張出部２７の下面と当接する際の異音の音量を低減することができる。
【０１１３】
図２４に示すように、中央垂直フィン２０Ａの上側張出部２７下面に対して、リング状部材１５３の上面１５７の一部のみが当接する。即ち、レジスタ１によれば、上側張出部２７に対して上面１５７が接触する際の接触面積を小さくすることができるので、上側張出部２７に対して、アーム部材１５０が接触することで生じる異音の音量を低減し得る。
【０１１４】
（上方回動状態における連結機構部の状態）
続いて、複数の水平フィン１０を水平状態から上方回動状態に変更し、空気の吹出方向を上向きに調整する場合について説明する。
【０１１５】
複数の水平フィン１０を上方回動状態に調整する場合、使用者は、操作ノブ３０を用いて、中央水平フィン１０Ａを上方向に回動させ、水平フィン本体１１の前端が上側に、後端が下側になるように調整する。この中央水平フィン１０Ａの回動に連動して、他の水平フィン１０も同様に、水平フィン本体１１の前端が上側に、後端が下側になるように回動する。これにより、レジスタ１によれば、操作ノブ３０を上方向に回動させることで、空気の吹出方向を、所望の上方向に調整することができる（図２５参照）。
【０１１６】
この時、中央水平フィン１０Ａの回動に伴って、軸保持部４２が形成されているノブ本体４０の後端側が、通常状態の位置から斜め前方下側に移動する為、アーム部材１５０は、アーム回動軸１５１を軸に回動しながら前方に移動し、リング状部材１５３の上面１５７及び下面１５８も連動して前方へ移動していく。
【０１１７】
ここで、アーム部材１５０の各湾曲アーム１５２は、上方に向かって突出するように湾曲している為、湾曲アーム１５２が下側張出部２８の前端上面に干渉することはない。従って、水平フィン１０を上方に回動させ得る範囲が、下側張出部２８とアーム部材１５０の接触によって制限されることはなく、操作ノブ３０による操作性を維持することができる。
【０１１８】
図２５、図２６に示すように、水平フィン１０を限界まで上方へ回動させると、リング状部材１５３の上面１５７の一部のみが、中央垂直フィン２０Ａの下側張出部２８上面と当接する。尚、この時、中央垂直フィン２０Ａの上側張出部２７上面と、リング状部材１５３の上面１５７との間には、所定の隙間が形成されている。
【０１１９】
ここに、リング状部材１５３の下面１５８は、側面視において、下側張出部２８側に突出する円弧を描くように湾曲している為、リング状部材１５３の下面１５８と下側張出部２８との間の距離は、湾曲アーム１５２の先端に比べて十分に小さい。従って、レジスタ１によれば、複数の水平フィン１０を上方回動状態に調整する場合に、リング状部材１５３の下面１５８が下側張出部２８の上面と当接する際の異音の音量を低減することができる。
【０１２０】
又、リング状部材１５３の下面１５８は、湾曲アーム１５２の先端から円弧を描くように突出形成されている為、下側張出部２８に対して下面１５８が接触した場合の衝撃を、リング状部材１５３の弾性変形によって吸収することができる。即ち、レジスタ１によれば、この点においても、複数の水平フィン１０を上方回動状態に調整する場合に、リング状部材１５３の下面１５８が下側張出部２８の上面と当接する際の異音の音量を低減することができる。
【０１２１】
図２６に示すように、中央垂直フィン２０Ａの下側張出部２８上面に対して、リング状部材１５３の上面１５７の一部のみが当接する。即ち、レジスタ１によれば、下側張出部２８に対して下面１５８が接触する際の接触面積を小さくすることができるので、下側張出部２８に対して、アーム部材１５０が接触することで生じる異音の音量を低減し得る。
【０１２２】
図２３乃至図２６に示すように、第２実施形態におけるレジスタ１によれば、操作ノブ３０を操作して複数の水平フィン１０を上下方向に回動させる何れの過程においても、上側張出部２７とリング状部材１５３の上面１５７の間、又は、下側張出部２８とリング状部材１５３の下面１５８の間の何れか一方に隙間が形成される。従って、レジスタ１によれば、操作ノブ３０を操作して複数の水平フィン１０を上下方向に回動させる操作に際して、アーム部材１５０との間に大きな摩擦抵抗が生じることはなく、空気の吹出方向を上下に調整する際の操作性を良好に維持することができる。
【０１２３】
又、リング状部材１５３の上面１５７及び下面１５８は、アーム部材１５０における湾曲アーム１５２を基準として、夫々、上側張出部２７及び下側張出部２８に近づくような円弧を描くように形成されている為、アーム部材１５０に対する上側張出部２７、下側張出部２８の距離を短くすることができる。従って、操作ノブ３０を操作して複数の水平フィン１０を上下方向に回動させる場合に、上側張出部２７、下側張出部２８に接触するまでにアーム部材１５０が移動する距離を短くすることができる為、両者の接触に起因する異音の大きさを低減することができる。
【０１２４】
以上説明した通り第２実施形態に係るレジスタ１では、アーム部材１５０は、操作ノブ３０の後部に回動可能に取り付けられるアーム回動軸１５１と、アーム回動軸１５１から二股状に延設された一対の湾曲アーム１５２と、各湾曲アーム１５２の後端部における下側面からリング状に形成された一対のリング状部材１５３と、各リング状部材１５３の自由端部１５４と湾曲アーム１５２の上側面１５５との間に形成されたスリット部１５６とを備えている。
前記のように構成されたレジスタのアーム部材１５０では、アーム回動軸１５１から二股状に延設された一対の各湾曲アーム１５２の後端部における下側面からリング状のリング状部材１５３が形成されており、プレート状部材の中央部から肉抜きをした構成を有するので、アーム部材１５２の軽量化を図ることができ、また、アーム部材１５２の軽量化に基づきリング状部材１５３の上面１５７又は下面１５８と上側張出部２７又は下側張出部２８とが接触する際の衝撃を小さくして接触時の異音を低減することができる。
また、リング状部材１５３の自由端部１５４と湾曲アーム１５２上側面１５５との間にはスリット部１５６が形成されているので、リング状部材１５３は容易に弾性変形して撓み易くなり、これよりリング状部材１５３の上面１５７又は下面１５８と上側張出部２７又は下側張出部２８とが接触する際の衝撃を小さくして接触時の異音を低減することができる。
【０１２５】
また、リング状部材１５３の厚さは周縁部に近接するに従ってテーパ状に薄く形成され、また、リング状部材１５３の周端面は断面視で三角形状に形成されているので、上側張出部２７に対してリング状部材１５３の上面１５７が接触する際の接触面積を小さくすると共に、下側張出部２８に対してリング状部材１５３の下面１５８が接触する際の接触面積を小さくすることができる。これにより、リング状部材が上側張出部又は下側張出部に対して接触する際に生じる異音を低減することができる。
【０１２６】
続いて、第３実施形態に係るレジスタについて、図２７乃至図３５を参照しつつ説明する。尚、第３実施形態に係るレジスタは、前記した第１実施形態に係るレジスタ１と基本的に同一の構成を有しており、第１実施形態のレジスタと第３実施形態のレジスタとは、操作ノブに連結されるアーム部材の構成のみが異なっているだけである。
従って、以下の説明においては、アーム部材の構成上の相違点に着目して説明することとし、その他の構成における各構成要素・部材には第１実施形態におけると同一の符号を付するとともに、その詳細な説明を省略するものとする。
【０１２７】
以下、第３実施形態に係るレジスタ１に使用されているアーム部材２５０の特徴的構成について説明する。
（アーム部材の構成）
アーム部材２５０は、図２７、図２８、図３０乃至図３２等に示すように、ノブ本体４０の後端部において、垂直方向に回動可能に取り付けられるアーム回動軸２５１、アーム回動軸２５１から二股状に延設された一対の湾曲アーム２５２、及び、各湾曲アーム２５２の後端部に一体に設けられ、湾曲アーム２５２の後端部の上側及び下側にて円弧状に延設された一対のリング状部材２５３を有している。更に、各リング状部材２５３の上側自由端部２５４と湾曲アーム２５２の後端部における上側面２５５との間には、第１スリット部２５６が形成されている。同様に、リング状部材２５３の下側自由端部２５７と湾曲アーム２５２の後端部における下側面２５８との間には、第２スリット部２５９が形成されている。
ここに、アーム部材２５０における二股状の各湾曲アーム２５２の間に、中央垂直フィン２０Ａの連結シャフト２６が係合し、これによりノブ本体４０のスライド移動に伴う力が中央垂直フィン２０Ａに対して伝達される。
【０１２８】
アーム回動軸２５１は、アーム部材２５０の前端部の外側部分に、左右方向に突出するように形成されており、左右両側のアーム回動軸２５１が同軸上に位置している。図３等に示すように、アーム回動軸２５１は、ノブ本体４０後端部に形成された軸保持部４２によって、回動自在に保持されている。これにより、アーム部材２５０は、ノブ本体４０に対して、アーム回動軸２５１を中心として垂直方向へ回動可能に連結されている。
【０１２９】
二股状の湾曲アーム２５２は、アーム回動軸２５１の左右方向中央部分において、左右方向に間隔を空けて形成されており、アーム部材２５０の前端部から後方に向かって延びている。図３１、図３２に示すように、湾曲アーム２５２は、アーム回動軸２５１から後方に向かって延びる途中で下方に向かって一度湾曲した後、その後方において上方に向かって湾曲している。二股状に形成された湾曲アーム２５２の間には、中央垂直フィン２０Ａの連結シャフト２６が配置される（図３、図２７乃至図３０参照）。換言すれば、一対の湾曲アーム２５２は、連結シャフト２６を挟んで左右両側に配設される。
【０１３０】
従って、操作ノブ３０がスライド移動すると、ノブ本体４０と共に、アーム部材２５０も移動する為、湾曲アーム２５２は、中央垂直フィン２０Ａの連結シャフト２６を押圧する。そして、この連結シャフト２６の押圧に伴って、中央垂直フィン２０Ａが左右方向へ回動し、これにより他の垂直フィン２０も、連動して左右方向に回動する。
【０１３１】
尚、第３実施形態においては、中央水平フィン１０Ａの上下方向への回動に伴って、操作ノブ３０も上下方向に回動するが、一対の湾曲アーム２５２の間に、上下方向に延びる連結シャフト２６が配置されている為、湾曲アーム２５２が、操作ノブ３０の上下方向への回動に伴って、連結シャフト２６に接触することはない。従って、操作ノブ３０の上下方向に対する回動は、複数の垂直フィン２０を左右方向へ回動させることはない。
【０１３２】
各湾曲アーム２５２の後端部に一体に設けられ、湾曲アーム２５２の後端部における上側及び下側にて円弧状に延設されたリング状部材２５３を有しており、かかるリング状部材２５３の上面２６０は、図２７、図２８、図３０に示すように、上側張出部２７側に対向しており、また、リング状部材２５３の下面２６１は、下側張出部２８に対向している。
【０１３３】
また、図３１、図３３に示すように、リング状部材２５３の厚さは周縁部に近接するに従ってテーパ状に薄く形成され、また、リング状部材２５３の周端面は断面視で三角形状に形成されている。これより、上側張出部２７に対してリング状部材２５３の上面２６０が接触する際の接触面積を小さくすると共に、下側張出部２８に対してリング状部材２５３の下面２６１が接触する際の接触面積を小さくすることができる。これにより、リング状部材２５３が上側張出部２７又は下側張出部２８に対して接触する際に生じる異音を低減することができる。
【０１３４】
（レジスタの動作）
続いて、上述のように構成された第３実施形態に係るレジスタ１において、シャッタ４を開けた状態で空気の吹出方向を上下左右に調整する方法について説明する。先ず、空気の吹出方向を左右に調整する場合について説明する。この場合、使用者は、中央水平フィン１０Ａに沿って、操作ノブ３０を左右方向にスライド移動させる。これにより、操作ノブ３０の移動力がアーム部材１５０の湾曲アーム１５２から、連結シャフト２６を介して、中央垂直フィン２０Ａに伝達される。これにより、中央垂直フィン２０Ａが左右方向に回動する為、他の垂直フィン２０は、各リンク支持軸２４及びリンク部材６０を介して、それに連動して左右方向に回動する。これにより、当該レジスタ１によれば、操作ノブ３０を左右方向にスライド移動させることで、空気の吹出方向を、所望の方向へ左右に調整することができる。
【０１３５】
続いて、第３実施形態に係るレジスタ１において、空気の吹出方向を上下に調整する場合について、図面を参照しつつ詳細に説明する。
【０１３６】
（通常状態における連結機構部の状態）
はじめに、各水平フィン１０の前端と後端が同じ高さとなる通常状態である場合について、図２７を参照しつつ説明する。通常状態にある場合、操作ノブ３０のノブ本体４０は、中央水平フィン１０Ａと共に、ノブ本体４０の前端と後端が同じ高さとなる状態となっている。
【０１３７】
ここで、第３実施形態における操作ノブ３０においては、上述したように、アーム部材２５０は、ノブ本体４０の後端部において、上下方向に回動可能に軸支されており、湾曲アーム２５２の後端部に一体に形成されたリング状部材２５３を有している。従って、アーム部材２５０は、ノブ本体４０の後端部において、アーム回動軸２５１を軸に回動可能な状態にあり、上側張出部２７と下側張出部２８の間の切欠部２５内には、リング状部材２５３の上面２６０及び下面２６１が位置している。
【０１３８】
（下方回動状態における連結機構部の状態）
次に、複数の水平フィン１０を水平状態から下方回動状態に変更し、空気の吹出方向を下向きに調整する場合について説明する。
【０１３９】
複数の水平フィン１０を下方回動状態に調整する場合、使用者は、操作ノブ３０を用いて、中央水平フィン１０Ａを下方向に回動させ、水平フィン本体１１の前端が下側に、後端が上側になるように調整する。この中央水平フィン１０Ａの回動に連動して、他の水平フィン１０も同様に、水平フィン本体１１の前端が下側に、後端が上側になるように回動する。これにより、第３実施形態のレジスタ１によれば、操作ノブ３０を下方向に回動させることで、空気の吹出方向を、所望の下方向に調整することができる（図３４参照）。
【０１４０】
この時、中央水平フィン１０Ａの回動に伴って、軸保持部４２が形成されているノブ本体４０の後端側が、通常状態の位置から斜め前方上側に移動する為、アーム部材２５０は、アーム回動軸２５１を軸に回動しながら前方に移動し、リング状部材２５３の上面２６０及び下面２６１も連動して前方へ移動していく。図３４に示すように、水平フィン１０を限界まで下方へ回動させると、リング状部材２５３の上面２６０の一部のみが、中央垂直フィン２０Ａの上側張出部２７下面と当接する。尚、この時、中央垂直フィン２０Ａの下側張出部２８上面と、リング状部材２５３の下面２６１との間には、所定の隙間が形成されている。
【０１４１】
上述したように、リング状部材２５３の上面２６０は、側面視において、上側張出部２７側に突出する円弧を描くように湾曲している為、リング状部材２５３の上面２６０と上側張出部２７との間の距離は、湾曲アーム２５２の先端に比べて十分に小さい。従って、前記レジスタ１によれば、複数の水平フィン１０を下方回動状態に調整する場合に、リング状部材２５３の上面２６０が上側張出部２７の下面と当接する際の異音の音量を低減することができる。
【０１４２】
又、前記したように、リング状部材２５３の上面２６０は、湾曲アーム２５２の先端から円弧を描くように突出形成されている為、上側張出部２７に対して上面２６０が接触する場合の衝撃を、リング状部材２５３の弾性変形によって吸収することができる。即ち、レジスタ１によれば、この点においても、複数の水平フィン１０を下方回動状態に調整する場合に、リング状部材２５３の上面２６０が上側張出部２７の下面と当接する際の異音の音量を低減することができる。
【０１４３】
中央垂直フィン２０Ａの上側張出部２７下面に対して、リング状部材２５３の上面２６０の一部のみが当接する。即ち、レジスタ１によれば、上側張出部２７に対して上面２６０が接触する際の接触面積を小さくすることができるので、上側張出部２７に対して、アーム部材２５０が接触することで生じる異音の音量を低減し得る。
【０１４４】
（上方回動状態における連結機構部の状態）
続いて、複数の水平フィン１０を水平状態から上方回動状態に変更し、空気の吹出方向を上向きに調整する場合について説明する。
【０１４５】
複数の水平フィン１０を上方回動状態に調整する場合、使用者は、操作ノブ３０を用いて、中央水平フィン１０Ａを上方向に回動させ、水平フィン本体１１の前端が上側に、後端が下側になるように調整する。この中央水平フィン１０Ａの回動に連動して、他の水平フィン１０も同様に、水平フィン本体１１の前端が上側に、後端が下側になるように回動する。これにより、レジスタ１によれば、操作ノブ３０を上方向に回動させることで、空気の吹出方向を、所望の上方向に調整することができる（図３５参照）。
【０１４６】
この時、中央水平フィン１０Ａの回動に伴って、軸保持部４２が形成されているノブ本体４０の後端側が、通常状態の位置から斜め前方下側に移動する為、アーム部材２５０は、アーム回動軸２５１を軸に回動しながら前方に移動し、リング状部材２５３の上面２６０及び下面２６１も連動して前方へ移動していく。
【０１４７】
ここで、アーム部材２５０の各湾曲アーム２５２は、上方に向かって突出するように湾曲している為、湾曲アーム２５２が下側張出部２８の前端上面に干渉することはない。従って、水平フィン１０を上方に回動させ得る範囲が、下側張出部２８とアーム部材２５０の接触によって制限されることはなく、操作ノブ３０による操作性を維持することができる。
【０１４８】
図３５に示すように、水平フィン１０を限界まで上方へ回動させると、リング状部材２５３の上面２６０の一部のみが、中央垂直フィン２０Ａの下側張出部２８上面と当接する。尚、この時、中央垂直フィン２０Ａの上側張出部２７上面と、リング状部材２５３の上面２６０との間には、所定の隙間が形成されている。
【０１４９】
ここに、リング状部材２５３の下面２６１は、側面視において、下側張出部２８側に突出する円弧を描くように湾曲している為、リング状部材２５３の下面２６１と下側張出部２８との間の距離は、湾曲アーム１５２の先端に比べて十分に小さい。従って、レジスタ１によれば、複数の水平フィン１０を上方回動状態に調整する場合に、リング状部材２５３の下面２６１が下側張出部２８の上面と当接する際の異音の音量を低減することができる。
【０１５０】
又、リング状部材２５３の下面２６１は、湾曲アーム２５２の先端から円弧を描くように突出形成されている為、下側張出部２８に対して下面２６１が接触した場合の衝撃を、リング状部材２５３の弾性変形によって吸収することができる。即ち、レジスタ１によれば、この点においても、複数の水平フィン１０を上方回動状態に調整する場合に、リング状部材２５３の下面２６１が下側張出部２８の上面と当接する際の異音の音量を低減することができる。
【０１５１】
中央垂直フィン２０Ａの下側張出部２８上面に対して、リング状部材２５３の上面２６０の一部のみが当接する。即ち、レジスタ１によれば、下側張出部２８に対して下面２６１が接触する際の接触面積を小さくすることができるので、下側張出部２８に対して、アーム部材２５０が接触することで生じる異音の音量を低減し得る。
【０１５２】
図３４、図３５に示すように、第３実施形態におけるレジスタ１によれば、操作ノブ３０を操作して複数の水平フィン１０を上下方向に回動させる何れの過程においても、上側張出部２７とリング状部材２５３の上面２６０の間、又は、下側張出部２８とリング状部材２５３の下面２６１の間の何れか一方に隙間が形成される。従って、レジスタ１によれば、操作ノブ３０を操作して複数の水平フィン１０を上下方向に回動させる操作に際して、アーム部材２５０との間に大きな摩擦抵抗が生じることはなく、空気の吹出方向を上下に調整する際の操作性を良好に維持することができる。
【０１５３】
又、リング状部材２５３の上面２６０及び下面２６１は、アーム部材２５０における湾曲アーム２５２を基準として、夫々、上側張出部２７及び下側張出部２８に近づくような円弧を描くように形成されている為、アーム部材２５０に対する上側張出部２７、下側張出部２８の距離を短くすることができる。従って、操作ノブ３０を操作して複数の水平フィン１０を上下方向に回動させる場合に、上側張出部２７、下側張出部２８に接触するまでにアーム部材２５０が移動する距離を短くすることができる為、両者の接触に起因する異音の大きさを低減することができる。
【０１５４】
以上説明した通り第３実施形態に係るレジスタ１では、アーム部材２５０は、操作ノブ３０の後部に回動可能に取り付けられるアーム回動軸２５１と、アーム回動軸２５１から二股状に延設された一対の湾曲アーム２５２と、各湾曲アーム２５２の後端部に一体に設けられ、湾曲アーム２５２の後端部の上側及び下側にて円弧状に延設された一対のリング状部材２５３と、各リング状部材２５３の上側自由端部２５４と湾曲アーム２５２の後端部における上側面２５５との間に形成された第１スリット部２５６と、リング状部材２５３の下側自由端部２５７と湾曲アーム２５２の後端部における下側面２５８との間に形成された第２スリット部２５９とを備えている。
前記のように構成されたレジスタ１のアーム部材２５０は、アーム回動軸２５１から二股状に延設された一対の各湾曲アーム２５２の後端部の上側及び下側にて円弧状に延設されたリング状部材２５３が形成されており、プレート状部材の中央部から肉抜きをした構成を有するので、アーム部材２５０の軽量化を図ることができ、また、アーム部材２５０の軽量化に基づきリング状部材２５３の上面２６０又は下面２６１と上側張出部２７又は下側張出部２８とが接触する際の衝撃を小さくして接触時の異音を低減することができる。
また、リング状部材２５３の上側自由端部２５４と湾曲アーム２５２の後端部における上側面２５５との間に形成された第１スリット部２５６と、リング状部材２５３の下側自由端部２５７と湾曲アーム２５２の後端部における下側面２５８との間に形成された第２スリット部２５９とが形成されているので、リング状部材２５３は容易に弾性変形して撓み易くなり、これよりリング状部材２５３の上面２６０又は下面２６１と上側張出部２７又は下側張出部２８とが接触する際の衝撃を小さくして接触時の異音を低減することができる。
【０１５５】
また、リング状部材の厚さは周縁部に近接するに従ってテーパ状に薄く形成され、また、リング状部材の周端面は断面視で三角形状に形成されているので、上側張出部に対してリング状部材の上側部が接触する際の接触面積を小さくすると共に、下側張出部に対してリング状部材の下側部が接触する際の接触面積を小さくすることができる。これにより、リング状部材が上側張出部又は下側張出部に対して接触する際に生じる異音を低減することができる。
【０１５６】
続いて、第４実施形態に係るレジスタについて、図３６乃至図４４を参照しつつ説明する。尚、第４実施形態に係るレジスタは、前記した第１実施形態に係るレジスタ１と基本的に同一の構成を有しており、第１実施形態のレジスタと第４実施形態のレジスタとは、操作ノブに連結されるアーム部材の構成のみが異なっているだけである。
従って、以下の説明においては、アーム部材の構成上の相違点に着目して説明することとし、その他の構成における各構成要素・部材には第１実施形態におけると同一の符号を付するとともに、その詳細な説明を省略するものとする。
【０１５７】
以下、第４実施形態に係るレジスタ１に使用されているアーム部材３５０の特徴的構成について説明する。
（アーム部材の構成）
アーム部材３５０は、図３６、図３７、図３９、図４０等に示すように、ノブ本体４０の後端部において、垂直方向に回動可能に取り付けられるアーム回動軸３５１、アーム回動軸３５１から二股状に延設された一対の湾曲アーム３５２、及び、各湾曲アーム３５２の後端部に一体に設けられた薄板状の弾性片３７０、及び、弾性片３７０の両側に連結され、円弧状に延設されたリング状部材３５３を有している。更に、各リング状部材３５３の上側自由端部３５４と湾曲アーム３５２の後端部における上側面３５５との間には、第１スリット部３５６が形成されている。同様に、リング状部材３５３の下側自由端部３５７と湾曲アーム３５２の後端部における下側面３５８との間には、第２スリット部３５９が形成されている。
ここに、アーム部材３５０における二股状の各湾曲アーム３５２の間に、中央垂直フィン２０Ａの連結シャフト２６が係合し、これによりノブ本体４０のスライド移動に伴う力が中央垂直フィン２０Ａに対して伝達される。
【０１５８】
アーム回動軸３５１は、アーム部材３５０の前端部の外側部分に、左右方向に突出するように形成されており、左右両側のアーム回動軸３５１が同軸上に位置している。図３等に示すように、アーム回動軸３５１は、ノブ本体４０後端部に形成された軸保持部４２によって、回動自在に保持されている。これにより、アーム部材３５０は、ノブ本体４０に対して、アーム回動軸３５１を中心として垂直方向へ回動可能に連結されている。
【０１５９】
二股状の湾曲アーム３５２は、アーム回動軸３５１の左右方向中央部分において、左右方向に間隔を空けて形成されており、アーム部材３５０の前端部から後方に向かって延びている。図４０、図４１に示すように、湾曲アーム３５２は、アーム回動軸３５１から後方に向かって延びる途中で下方に向かって一度湾曲した後、その後方において上方に向かって湾曲している。二股状に形成された湾曲アーム３５２の間には、中央垂直フィン２０Ａの連結シャフト２６が配置される（図３、図３６乃至図３９参照）。換言すれば、一対の湾曲アーム３５２は、連結シャフト２６を挟んで左右両側に配設される。
【０１６０】
従って、操作ノブ３０がスライド移動すると、ノブ本体４０と共に、アーム部材２５０も移動する為、湾曲アーム２５２は、中央垂直フィン２０Ａの連結シャフト２６を押圧する。そして、この連結シャフト２６の押圧に伴って、中央垂直フィン２０Ａが左右方向へ回動し、これにより他の垂直フィン２０も、連動して左右方向に回動する。
【０１６１】
尚、第４実施形態においては、中央水平フィン１０Ａの上下方向への回動に伴って、操作ノブ３０も上下方向に回動するが、一対の湾曲アーム２５２の間に、上下方向に延びる連結シャフト２６が配置されている為、湾曲アーム２５２が、操作ノブ３０の上下方向への回動に伴って、連結シャフト２６に接触することはない。従って、操作ノブ３０の上下方向に対する回動は、複数の垂直フィン２０を左右方向へ回動させることはない。
【０１６２】
各湾曲アーム２５２の後端部には、薄板状の弾性片３７０が一体に設けられており、かかる弾性片３７０は、各湾曲アーム３５２の後端部から上下方向に延出されている。弾性片３７０の上端及び下端は、円弧状に延設されたリング状部材３５３の内側面に連結されている。これにより、リング状部材３５３は、弾性片３７０の上下両側で連結保持されることとなり、リング状部材３５３は弾性片３７０の可撓性に基づきフレキシブルに可動となる。かかるリング状部材３５３の上面３６０は、図３６、図３７、図３９に示すように、上側張出部２７側に対向しており、また、リング状部材３５３の下面３６１は、下側張出部２８に対向している。
【０１６３】
また、図４０、図４２に示すように、リング状部材３５３の厚さは周縁部に近接するに従ってテーパ状に薄く形成され、また、リング状部材３５３の周端面は断面視で三角形状に形成されている。これより、上側張出部２７に対してリング状部材３５３の上面３６０が接触する際の接触面積を小さくすると共に、下側張出部２８に対してリング状部材３５３の下面３６１が接触する際の接触面積を小さくすることができる。これにより、リング状部材３５３が上側張出部２７又は下側張出部２８に対して接触する際に生じる異音を低減することができる。
【０１６４】
（レジスタの動作）
続いて、上述のように構成された第４実施形態に係るレジスタ１において、シャッタ４を開けた状態で空気の吹出方向を上下左右に調整する方法について説明する。先ず、空気の吹出方向を左右に調整する場合について説明する。この場合、使用者は、中央水平フィン１０Ａに沿って、操作ノブ３０を左右方向にスライド移動させる。これにより、操作ノブ３０の移動力がアーム部材１５０の湾曲アーム１５２から、連結シャフト２６を介して、中央垂直フィン２０Ａに伝達される。これにより、中央垂直フィン２０Ａが左右方向に回動する為、他の垂直フィン２０は、各リンク支持軸２４及びリンク部材６０を介して、それに連動して左右方向に回動する。これにより、当該レジスタ１によれば、操作ノブ３０を左右方向にスライド移動させることで、空気の吹出方向を、所望の方向へ左右に調整することができる。
【０１６５】
続いて、第４実施形態に係るレジスタ１において、空気の吹出方向を上下に調整する場合について、図面を参照しつつ詳細に説明する。
【０１６６】
（通常状態における連結機構部の状態）
はじめに、各水平フィン１０の前端と後端が同じ高さとなる通常状態である場合について、図３６を参照しつつ説明する。通常状態にある場合、操作ノブ３０のノブ本体４０は、中央水平フィン１０Ａと共に、ノブ本体４０の前端と後端が同じ高さとなる状態となっている。
【０１６７】
ここで、第４実施形態における操作ノブ３０においては、上述したように、アーム部材３５０は、ノブ本体４０の後端部において、上下方向に回動可能に軸支されており、湾曲アーム２３２の後端部に一体に形成されたリング状部材３５３を有している。従って、アーム部材３５０は、ノブ本体４０の後端部において、アーム回動軸３５１を軸に回動可能な状態にあり、上側張出部２７と下側張出部２８の間の切欠部２５内には、リング状部材３５３の上面３６０及び下面３６１が位置している。
【０１６８】
（下方回動状態における連結機構部の状態）
次に、複数の水平フィン１０を水平状態から下方回動状態に変更し、空気の吹出方向を下向きに調整する場合について説明する。
【０１６９】
複数の水平フィン１０を下方回動状態に調整する場合、使用者は、操作ノブ３０を用いて、中央水平フィン１０Ａを下方向に回動させ、水平フィン本体１１の前端が下側に、後端が上側になるように調整する。この中央水平フィン１０Ａの回動に連動して、他の水平フィン１０も同様に、水平フィン本体１１の前端が下側に、後端が上側になるように回動する。これにより、第３実施形態のレジスタ１によれば、操作ノブ３０を下方向に回動させることで、空気の吹出方向を、所望の下方向に調整することができる（図４３参照）。
【０１７０】
この時、中央水平フィン１０Ａの回動に伴って、軸保持部４２が形成されているノブ本体４０の後端側が、通常状態の位置から斜め前方上側に移動する為、アーム部材３５０は、アーム回動軸３５１を軸に回動しながら前方に移動し、リング状部材３５３の上面３６０及び下面３６１も連動して前方へ移動していく。図４３に示すように、水平フィン１０を限界まで下方へ回動させると、リング状部材３５３の上面３６０の一部のみが、中央垂直フィン２０Ａの上側張出部２７下面と当接する。尚、この時、中央垂直フィン２０Ａの下側張出部２８上面と、リング状部材３５３の下面３６１との間には、所定の隙間が形成されている。
【０１７１】
上述したように、リング状部材３５３の上面３６０は、側面視において、上側張出部２７側に突出する円弧を描くように湾曲している為、リング状部材３５３の上面３６０と上側張出部２７との間の距離は、湾曲アーム３５２の先端に比べて十分に小さい。従って、前記レジスタ１によれば、複数の水平フィン１０を下方回動状態に調整する場合に、リング状部材３５３の上面３６０が上側張出部２７の下面と当接する際の異音の音量を低減することができる。
【０１７２】
又、前記したように、リング状部材３５３の上面３６０は、湾曲アーム３５２の先端から円弧を描くように突出形成されている為、上側張出部２７に対して上面３６０が接触する場合の衝撃を、リング状部材３５３の弾性変形によって吸収することができる。即ち、レジスタ１によれば、この点においても、複数の水平フィン１０を下方回動状態に調整する場合に、リング状部材３５３の上面３６０が上側張出部２７の下面と当接する際の異音の音量を低減することができる。
【０１７３】
中央垂直フィン２０Ａの上側張出部２７下面に対して、リング状部材３５３の上面３６０の一部のみが当接する。即ち、レジスタ１によれば、上側張出部２７に対して上面３６０が接触する際の接触面積を小さくすることができるので、上側張出部２７に対して、アーム部材３５０が接触することで生じる異音の音量を低減し得る。
【０１７４】
（上方回動状態における連結機構部の状態）
続いて、複数の水平フィン１０を水平状態から上方回動状態に変更し、空気の吹出方向を上向きに調整する場合について説明する。
【０１７５】
複数の水平フィン１０を上方回動状態に調整する場合、使用者は、操作ノブ３０を用いて、中央水平フィン１０Ａを上方向に回動させ、水平フィン本体１１の前端が上側に、後端が下側になるように調整する。この中央水平フィン１０Ａの回動に連動して、他の水平フィン１０も同様に、水平フィン本体１１の前端が上側に、後端が下側になるように回動する。これにより、レジスタ１によれば、操作ノブ３０を上方向に回動させることで、空気の吹出方向を、所望の上方向に調整することができる（図４４参照）。
【０１７６】
この時、中央水平フィン１０Ａの回動に伴って、軸保持部４２が形成されているノブ本体４０の後端側が、通常状態の位置から斜め前方下側に移動する為、アーム部材３５０は、アーム回動軸３５１を軸に回動しながら前方に移動し、リング状部材３５３の上面３６０及び下面３６１も連動して前方へ移動していく。
【０１７７】
ここで、アーム部材３５０の各湾曲アーム３５２は、上方に向かって突出するように湾曲している為、湾曲アーム３５２が下側張出部２８の前端上面に干渉することはない。従って、水平フィン１０を上方に回動させ得る範囲が、下側張出部２８とアーム部材３５０の接触によって制限されることはなく、操作ノブ３０による操作性を維持することができる。
【０１７８】
図４４に示すように、水平フィン１０を限界まで上方へ回動させると、リング状部材３５３の上面３６０の一部のみが、中央垂直フィン２０Ａの下側張出部２８上面と当接する。尚、この時、中央垂直フィン２０Ａの上側張出部２７上面と、リング状部材３５３の上面３６０との間には、所定の隙間が形成されている。
【０１７９】
ここに、リング状部材３５３の下面３６１は、側面視において、下側張出部２８側に突出する円弧を描くように湾曲している為、リング状部材３５３の下面３６１と下側張出部２８との間の距離は、湾曲アーム３５２の先端に比べて十分に小さい。従って、レジスタ１によれば、複数の水平フィン１０を上方回動状態に調整する場合に、リング状部材３５３の下面３６１が下側張出部２８の上面と当接する際の異音の音量を低減することができる。
【０１８０】
又、リング状部材３５３の下面３６１は、湾曲アーム３５２の先端から円弧を描くように突出形成されている為、下側張出部２８に対して下面３６１が接触した場合の衝撃を、リング状部材３５３の弾性変形によって吸収することができる。即ち、レジスタ１によれば、この点においても、複数の水平フィン１０を上方回動状態に調整する場合に、リング状部材３５３の下面３６１が下側張出部２８の上面と当接する際の異音の音量を低減することができる。
【０１８１】
中央垂直フィン２０Ａの下側張出部２８上面に対して、リング状部材３５３の上面３６０の一部のみが当接する。即ち、レジスタ１によれば、下側張出部２８に対して下面３６１が接触する際の接触面積を小さくすることができるので、下側張出部２８に対して、アーム部材３５０が接触することで生じる異音の音量を低減し得る。
【０１８２】
図４３、図４４に示すように、第４実施形態におけるレジスタ１によれば、操作ノブ３０を操作して複数の水平フィン１０を上下方向に回動させる何れの過程においても、上側張出部２７とリング状部材３５３の上面３６０の間、又は、下側張出部２８とリング状部材３５３の下面３６１の間の何れか一方に隙間が形成される。従って、レジスタ１によれば、操作ノブ３０を操作して複数の水平フィン１０を上下方向に回動させる操作に際して、アーム部材３５０との間に大きな摩擦抵抗が生じることはなく、空気の吹出方向を上下に調整する際の操作性を良好に維持することができる。
【０１８３】
又、リング状部材３５３の上面３６０及び下面３６１は、アーム部材３５０における湾曲アーム３５２を基準として、夫々、上側張出部２７及び下側張出部２８に近づくような円弧を描くように形成されている為、アーム部材３５０に対する上側張出部２７、下側張出部２８の距離を短くすることができる。従って、操作ノブ３０を操作して複数の水平フィン１０を上下方向に回動させる場合に、上側張出部２７、下側張出部２８に接触するまでにアーム部材３５０が移動する距離を短くすることができる為、両者の接触に起因する異音の大きさを低減することができる。
【０１８４】
以上説明した通り第４実施形態に係るレジスタ１では、アーム部材３５０は、操作ノブ３０の後部に回動可能に取り付けられるアーム回動軸３５１と、アーム回動軸３５１から二股状に延設された一対の湾曲アーム３５２と、各湾曲アーム３５２の後端部に一体に設けられた薄板状の弾性片３７０と、弾性片３７０の両側に連結され、円弧状に延設されたリング状部材３５３と、各リング状部材３５３の上側自由端部３５４と湾曲アーム３５２の後端部における上側面３５５との間に形成された第１スリット部３５６と、リング状部材３５３の下側自由端部３５７と湾曲アーム３５２の後端部における下側面３５８との間に形成された第２スリット部３５９とを備えている。
前記のように構成されたレジスタ１のアーム部材３５０では、アーム回動軸３５１から二股状に延設された一対の各湾曲アーム３５２の後端部に設けられた弾性片３７０の両側に円弧上に延設された一対のリング状部材３５３が連結されており、プレート状部材の中央部から肉抜きをした構成を有するので、アーム部材３５０の軽量化を図ることができ、また、アーム部材３５０の軽量化に基づきリング状部材３５３の上面３６０又は下面３６１と上側張出部２７又は下側張出部２８とが接触する際の衝撃を小さくして接触時の異音を低減することができる。
また、リング状部材３５３の上側自由端部３５４と湾曲アーム３５２の後端部における上側面３５５との間に第１スリット部３５６が形成されるとともに、リング状部材３５３の下側自由端部３５７と湾曲アーム３５２の後端部における下側面３５８との間に第２スリット部３５９が形成されているので、リング状部材３５３は容易に弾性変形して撓み易くなり、これよりリング状部材３５３の上面３６０又は下面３６１と上側張出部２７又は下側張出部２８とが接触する際の衝撃を小さくして接触時の異音を低減することができる。
【０１８５】
また、リング状部材３５３の厚さは周縁部に近接するに従ってテーパ状に薄く形成され、また、リング状部材３５３の周端面は断面視で三角形状に形成されているので、上側張出部２７に対してリング状部材３５３の上側部が接触する際の接触面積を小さくすると共に、下側張出部２８に対してリング状部材３５３の下側部が接触する際の接触面積を小さくすることができる。これにより、リング状部材３５３が上側張出部２７又は下側張出部２８に対して接触する際に生じる異音を低減することができる。
【０１８６】
尚、本発明は、上述した実施形態に限定されるものではなく、本発明の要旨を逸脱しない範囲内で種々の改良、変形が可能であることは勿論である。例えば、本発明に係るアーム部材の上側接触片及び下側接触片は、上述した実施形態に係るアーム部材５０における上側接触片５３及び下側接触片５６の形状に限定されるものではない。例えば、上側接触片における上側張出部側の面、下側接触片における下側張出部側の面を、曲面状に形成することによって、上側接触部や下側接触部を構成してもよい。
【符号の説明】
【０１８７】
１          レジスタ
２          リテーナ
５          ベゼル
１０        水平フィン
１０Ａ      中央水平フィン
２０        垂直フィン
２０Ａ      中央垂直フィン
２５        切欠部
２６        連結シャフト
２７        上側張出部
２８        下側張出部
３０        操作ノブ
４０        ノブ本体
５０        アーム部材
５１        アーム回動軸
５２        湾曲アーム
５３        上側接触片
５４        上側接触部
５５        上側テーパ部
５６        下側接触片
５７        下側接触部
５８        下側テーパ部
ＣＰ        連結機構
１５０      アーム部材
１５１      アーム回動軸
１５２      湾曲アーム
１５３      リング状部材
１５４    自由端部
１５５    上側面
１５６    スリット部
２５０    アーム部材
２５１    アーム回動軸
２５２    湾曲アーム
２５３    リング状部材
２５４    上側自由端部
２５５    上側面
２５６    第１スリット部
２５７    下側自由端部
２５８    下側面
２５９    第２スリット部
３５０    アーム部材
３５１    アーム回動軸
３５２    湾曲アーム
３５３    リング状部材
３５４    上側自由端部
３５５    上側面
３５６    第１スリット部
３５７    下側自由端部
３５８    下側面
３５９    第２スリット部
【図１】
2017214052.tif 000003
【図２】
2017214052.tif 000004
【図３】
2017214052.tif 000005
【図４】
2017214052.tif 000006
【図５】
2017214052.tif 000007
【図６】
2017214052.tif 000008
【図７】
2017214052.tif 000009
【図８】
2017214052.tif 000010
【図９】
2017214052.tif 000011
【図１０】
2017214052.tif 000012
【図１１】
2017214052.tif 000013
【図１２】
2017214052.tif 000014
【図１３】
2017214052.tif 000015
【図１４】
2017214052.tif 000016
【図１５】
2017214052.tif 000017
【図１６】
2017214052.tif 000018
【図１７】
2017214052.tif 000019
【図１８】
2017214052.tif 000020
【図１９】
2017214052.tif 000021
【図２０】
2017214052.tif 000022
【図２１】
2017214052.tif 000023
【図２２】
2017214052.tif 000024
【図２３】
2017214052.tif 000025
【図２４】
2017214052.tif 000026
【図２５】
2017214052.tif 000027
【図２６】
2017214052.tif 000028
【図２７】
2017214052.tif 000029
【図２８】
2017214052.tif 000030
【図２９】
2017214052.tif 000031
【図３０】
2017214052.tif 000032
【図３１】
2017214052.tif 000033
【図３２】
2017214052.tif 000034
【図３３】
2017214052.tif 000035
【図３４】
2017214052.tif 000036
【図３５】
2017214052.tif 000037
【図３６】
2017214052.tif 000038
【図３７】
2017214052.tif 000039
【図３８】
2017214052.tif 000040
【図３９】
2017214052.tif 000041
【図４０】
2017214052.tif 000042
【図４１】
2017214052.tif 000043
【図４２】
2017214052.tif 000044
【図４３】
2017214052.tif 000045
【図４４】
2017214052.tif 000046